(57)【要約】      （修正有）【課題】メディアアプリケーション（メディアアプリ）を利用した広告へのアプリケーション（アプリ）の掲載負担を軽減できるネットワーク広告管理システムを提供する。【解決手段】アプリストアＡＳとユーザ端末Ｕと管理サーバＭＳとがネットワークを介して接続され、ユーザ端末Ｕにおけるメディアアプリには、ＳＤＫ（ユーザ側管理ソフト）が組み込まれている。管理サーバＭＳは、ユーザ端末Ｕが広告表示を選択することによりアプリストアＡＳにアクセスしたとき、その選択された広告表示に対応するアプリ情報、ユーザ端末Ｕにおけるメディアアプリ情報及び該ユーザ端末Ｕの情報を取得して第１情報として保存する。ユーザ端末Ｕは、ＳＤＫに基づき、管理サーバＭＳに新規なインストールアプリの情報とユーザ情報端末の情報とを第２情報として送信し、管理サーバＭＳは、第２情報と第１情報とを比較照合して、アプリの購入に貢献したメディアアプリを特定する。【選択図】図１
2013080319.tif 000002
【特許請求の範囲】
【請求項１】
多数のアプリケーションを保有して該アプリケーションのダウロードサービスを行うダウンロードサービスサイトと、該ダウンロードサービスサイトからアプリケーションをダウンロード可能とされていると共に、コンテンツ及び広告表示を表示させることが可能なメディアアプリケーションがインストールされているユーザ情報端末と、前記ユーザ情報端末のメディアアプリケーションに対して前記ダウンロードサービスサイトに保有されるアプリケーションの広告表示を配信する管理サーバとが、ネットワークを介して連なるネットワーク広告管理システムであって、
前記ユーザ情報端末におけるメディアアプリケーションに、ユーザ側管理ソフトが組み込まれ、
前記メディアアプリケーションが前記ユーザ情報端末に表示させる広告表示に、前記管理サーバを経由して前記ダウンロードサービスサイトへアクセスするためのリンク先情報が設定され、
前記管理サーバは、前記ユーザ情報端末が前記広告表示を選択して該広告表示におけるリンク先情報に基づき該管理サーバを経由して前記ダウンロードサービスサイトにアクセスするとき、その選択された広告表示に対応するアプリケーション情報、該ユーザ情報端末にインストールされたメディアアプリケーションの情報及び該ユーザ情報端末の情報を取得して第１情報として保存するように設定され、
前記ユーザ情報端末は、前記ユーザ側管理ソフトに基づき、
該ユーザ情報端末に新規にインストールされたインストールアプリケーションを検出する新規インストールアプリケーション検出手段、
該新規インストールアプリケーション検出手段が新規なインストールアプリケーションの存在を判定したときに、前記管理サーバにその新規なインストールアプリケーションの情報と該ユーザ情報端末の情報とを第２情報として送信する関連情報送信手段、
として機能するように設定され、
前記管理サーバは、前記ユーザ情報端末からの第２情報を受領したときに、該第２情報と前記第１情報とを比較照合して、アプリケーションの購入に貢献したメディアアプリケーションを特定するように設定されている、
ことを特徴とするネットワーク広告管理システム。
【請求項２】
請求項１において、
前記ユーザ情報端末が、前記ユーザ側管理ソフトに基づき、
前記アプリケーションの広告表示の配信を要求する広告配信要求手段、
該広告配信要求手段の要求に基づき配信を受けたアプリケーションの広告表示に、前記リンク先情報の他に、該ユーザ情報端末の情報、メディアアプリケーションの情報を設定する情報設定手段、
としても機能するように設定されている、
ことを特徴とするネットワーク広告管理システム。
【請求項３】
多数のアプリケーションを保有して該アプリケーションのダウロードサービスを行うダウンロードサービスサイトと、該ダウンロードサービスサイトからアプリケーションをダウンロード可能とされていると共に、コンテンツ及び広告表示を表示させることが可能なメディアアプリケーションがインストールされているユーザ情報端末とに対して、ネットワークを介して連なり、前記ユーザ情報端末のメディアアプリケーションに対して前記ダウンロードサービスサイトに保有されるアプリケーションの広告表示を配信するネットワーク広告管理システム用管理サーバであって、
前記ユーザ情報端末が、前記メディアアプリケーションが該ユーザ情報端末に表示させる広告表示を選択することにより、該広告表示に設定されるリンク先情報に基づき前記ダウンロードサービスサイトにアクセスするに先立って経由したとき、その選択された広告表示に対応するアプリケーション情報、該ユーザ情報端末にインストールされるメディアアプリケーションの情報及び該ユーザ情報端末の情報を取得して第１情報として保存する取得保存手段と、
前記ユーザ情報端末から、新規にインストールされたインストールアプリケーションの情報と該ユーザ情報端末の情報とを第２情報として受領する受領手段と、
前記取得保存手段が保存する第１情報と、前記受領手段が受領した第２情報とを比較照合して、該第１、第２情報に関連するメディアアプリケーションを特定するメディアアプリケーション特定手段と、を備えている、
ことを特徴とするネットワーク広告管理システム用管理サーバ。
【請求項４】
多数のアプリケーションを保有して該アプリケーションのダウロードサービスを行うダウンロードサービスサイトと、該ダウンロードサービスサイトからアプリケーションをダウンロード可能とされていると共に、コンテンツ及び広告表示を表示させることが可能なメディアアプリケーションがインストールされているユーザ情報端末と、前記ユーザ情報端末のメディアアプリケーションに対して前記ダウンロードサービスサイトに保有されるアプリケーションの広告表示を配信する管理サーバとが、ネットワークを介して連なるネットワーク広告管理システムの下で、前記メディアアプリケーションに組み込まれるネットワーク広告管理システム用プログラムであって、
コンピュータを、
前記メディアアプリケーションがインストールされるユーザ情報端末において、新規にインストールされたアプリケーションを検出する新規インストールアプリケーション検出手段、
前記新規インストールアプリケーション検出手段の結果に基づき、新規インストールアプリケーションが存在すると判断したときには、該新規インストールアプリケーションの情報と前記ユーザ情報端末の情報とを、前記管理サーバに送り出す関連情報送信手段、
として機能させる、
ことを特徴とするネットワーク広告管理システム用プログラム。
【請求項５】
請求項４において、
コンピュータによる新規インストールアプリケーション検出手段としての機能が、
前記メディアアプリケーションがインストールされるユーザ情報端末において、該ユーザ情報端末にインストールされているインストールアプリケーションを検索するインストールアプリケーション検索手段、
前記インストールアプリケーション検索手段の検索結果を順次、更新して、前記ユーザ情報端末にインストールされているアプリケーションのアプリケーションリストを作成するアプリケーションリスト作成手段、
前記インストールアプリケーション検索手段の検索結果と、該インストールアプリケーション検索手段の検索直前における前記アプリケーションリストとを比較して、該アプリケーションリストに存在しなかったアプリケーションを新規インストールアプリケーションとして検出する新規インストールアプリケーション検索手段、
としての機能を有し、
前記関連情報送信手段としての機能が、前記新規インストールアプリケーション検索手段の結果に基づき、新規インストールアプリケーションが存在すると判断したときに、該新規インストールアプリケーションの情報と前記ユーザ情報端末の情報とを、前記管理サーバに送り出すように設定されている、
ことを特徴とするネットワーク広告管理システム用プログラム。
【請求項６】
請求項５において、
コンピュータを、前記メディアアプリケーションにおいて広告表示されるアプリケーションのＵＲＬスキームを前記管理サーバに要求するＵＲＬスキーム要求手段としても機能するように設定され、
前記インストールアプリケーション検索手段としての機能が、前記ＵＲＬスキーム要求手段による要求に基づき入手したＵＲＬスキームを利用して、前記ユーザ情報端末にインストールされるインストールアプリケーションを検索するように設定されている、
ことを特徴とするネットワーク広告管理システム用プログラム。
【請求項７】
請求項５において、
前記インストールアプリケーション検索手段としの機能が、前記ユーザ情報端末に対して、該ユーザ情報端末にインストールされているインストールアプリケーションのリストを要求するように設定されている、
ことを特徴とするネットワーク広告管理システム用プログラム。
【請求項８】
請求項４〜７のいずれか１項において、
コンピュータを、
前記アプリケーションの広告表示を前記管理サーバに要求する広告配信要求手段、
前記メディアアプリケーションが前記ユーザ情報端末に表示させるアプリケーションの広告表示に、前記管理サーバを経て前記ダウンロードサービスサイトにアクセスするためのリンク先情報、前記広告表示に対応するアプリケーションの情報、前記ユーザ情報端末にインストールされるメディアアプリケーションの情報及び該ユーザ情報端末の情報を設定する情報設定手段、
としても機能させる、
ことを特徴とするネットワーク広告管理システム用プログラム。
【発明の詳細な説明】
【技術分野】
【０００１】
本発明は、ネットワーク広告管理システム、そのネットワーク広告管理システムにおいて用いられるネットワーク広告管理システム用管理サーバ及びネットワーク広告管理システム用プログラムに関する。
【背景技術】
【０００２】
近時、スマートフォン等のユーザ情報端末が普及しており、そのユーザ情報端末においては、アプリケーションをインストールした上で、そのアプリケーションをユーザ情報端末上で起動してそのアプリケーションのコンテンツを楽しむことが行われている（特許文献１参照）。このようなアプリケーションは、ダウンロードサービスサイト（例えばAppStore、Androidマーケット等）に登録、集積されており、そこから、ユーザが自己の好むアプリケーションを自己のユーザ情報端末にダウンロードすることになる。
【０００３】
上記コンテンツを提供するアプリケーションを他のアプリケーションの広告に用いることが行われ始めている（以下、他のアプリケーションの広告のために用いられるアプリケーションをメディアアプリケーションという）。このメディアアプリケーションを用いた他のアプリケーションの広告は、メディアアプリケーションの起動中に、そのコンテンツ表示画面中或いは選択操作に基づいて開く別画面上にアプリケーション一覧表示を掲載することにより行われる。そして、そのアプリケーション一覧表示を見たメディアアプリケーションユーザ（以下、ユーザという）が、そのアプリケーション一覧表示中の気に入った掲載アプリケーション表示を選択した場合には、ユーザのユーザ情報端末がその掲載アプリケーション表示（ダウンロードサービスサイトへのリンク情報を埋設）を通じて前記ダウンロードサービスサイトにアクセスし、そのダウンロードサービスサイトにおいて、その気に入った掲載アプリケーションを購入（ダウンロード、インストール）することになる。このようにメディアアプリケーションを経由してそのメディアアプリケーションに掲載されている掲載アプリケーションをダウンロードサービスサイトで購入したときには、そのメディアアプリケーションによる貢献に対して、そのメディアアプリケーションを開発販売した開発販売者に成功報酬が支払われる。
特に、メディアアプリケーションにおいては、他のアプリケーションの広告を行うに際して、リワード広告が採用される傾向にある。リワード広告は、メディアアプリケーションのコンテンツを楽しむユーザが、そのメディアアプリケーションに掲載されている掲載アプリケーションを、そのメディアアプリケーションを経由してダウンロードサービスサイトで購入した場合に、そのメディアアプリケーションにおけるコンテンツのアイテムや、ポイントを付与しようとする広告サービスであり、このリワード広告により、ユーザに対して、メディアアプリケーションに掲載される掲載アプリケーションの購入の動機付けがなされ、掲載アプリケーションの販売促進が図られる。
【０００４】
ところで、メディアアプリケーションを利用した他のアプリケーションの広告においては、どのメディアアプリケーションを経由してメディアアプリケーションの掲載アプリケーションがダウンロードサービスサイトから購入されたかを把握するために（成功報酬の支払い等のために）、ユーザの行動を記録・追跡するトラッキング処理が行われている。
具体的には、メディアアプリケーションにおける掲載アプリケーション表示からダウンロードサービスサイトにアクセスする際に、掲載アプリケーション情報を配信する広告管理会社が運営する管理サーバを経由することになり、その際に、ユーザ情報端末ＩＤと、当該メディアアプリケーション情報と、選択した掲載アプリケーション情報とが、管理サーバに収集される。そしてこの後、ダウンロードサービスサイトにおける掲載アプリケーションの購入手続を経て、それをユーザ情報端末にダウンロード（インストールまでを含む）し、最初にその購入した掲載アプリケーションを起動したときには、そのユーザ情報端末ＩＤが前記広告管理サーバに送信される。この最初の起動時に送信されるユーザ情報端末ＩＤと、メディアアプリケーションにおける掲載アプリケーション掲載表示からダウンロードサービスサイトにアクセスする際に管理サーバに収集されたユーザ情報端末ＩＤとを比較照合することにより、掲載アプリケーションの購入のために貢献したメディアアプリケーション（開発販売者）が特定される。これにより、掲載アプリケーションの購入のために貢献したメディアアプリケーションの開発販売者に的確に成功報酬が支払われると共に、リワード広告に基づくリワードがメディアアプリケーションユーザに付与されることになり、メディアアプリケーションを利用したリワード広告が促進される。
【先行技術文献】
【特許文献】
【０００５】
【特許文献１】特開２０１１−１７５６１１号公報
【発明の概要】
【発明が解決しようとする課題】
【０００６】
しかし、上記ネットワーク広告管理システム（トラッキングシステム）においては、ダウンロードサービスサイトからダウンロードを行う各掲載アプリケーションに、上述のように、最初の起動時にユーザ情報端末ＩＤ等を管理サーバに送信するようにすべく、トラッキングソフト（トラッキング用ＳＤＫ（Software Development Kit）をそれぞれ組み込む必要があり、各掲載アプリケーションの広告主は、トラッキングソフトを組み込むための作業負担（費用）が強いられることになっている。
また、ダウンロードサービスサイトにおいては、審査（プログラムの適正審査）を経て合格したアプリケーションだけが登録・集積されることになっており、その審査には、１週間から最大１ヶ月間を要し、結果として不合格となる場合も少なくない。しかも、その審査はアップデートの度に行われる。このため、メディアアプリケーションを利用した広告にアプリケーションを掲載しようとする広告主にとっては、掲載すべきアプリケーションに対するトラッキングソフトの組み込み作業は極力避けたい状況にある。このため、メディアアプリケーションを利用した広告として、メディアアプリケーションにアプリケーションを掲載することは未だ敷居が高い。
【０００７】
本発明は、上記問題点に鑑みてなされたものであり、その第１の技術的課題は、メディアアプリケーションを利用した広告へのアプリケーションの掲載負担を軽減できるネットワーク広告管理システムを提供することにある。
第２の技術的課題は、上記ネットワーク広告管理システムに用いられるネットワーク広告管理システム用管理サーバを提供することにある。
第３の技術的課題は、上記ネットワーク広告管理システムに用いられるネットワーク広告管理システム用プログラムを提供することにある。
【課題を解決するための手段】
【０００８】
上述の第１の技術的課題を解決するために本発明（請求項１に係る発明）においては、  
多数のアプリケーションを保有して該アプリケーションのダウロードサービスを行うダウンロードサービスサイトと、該ダウンロードサービスサイトからアプリケーションをダウンロード可能とされていると共に、コンテンツ及び広告表示を表示させることが可能なメディアアプリケーションがインストールされているユーザ情報端末と、前記ユーザ情報端末のメディアアプリケーションに対して前記ダウンロードサービスサイトに保有されるアプリケーションの広告表示を配信する管理サーバとが、ネットワークを介して連なるネットワーク広告管理システムであって、
前記ユーザ情報端末におけるメディアアプリケーションに、ユーザ側管理ソフトが組み込まれ、
前記メディアアプリケーションが前記ユーザ情報端末に表示させる広告表示に、前記管理サーバを経由して前記ダウンロードサービスサイトへアクセスするためのリンク先情報が設定され、
前記管理サーバは、前記ユーザ情報端末が前記広告表示を選択して該広告表示におけるリンク先情報に基づき該管理サーバを経由して前記ダウンロードサービスサイトにアクセスするとき、その選択された広告表示に対応するアプリケーション情報、該ユーザ情報端末にインストールされたメディアアプリケーションの情報及び該ユーザ情報端末の情報を取得して第１情報として保存するように設定され、
前記ユーザ情報端末は、前記ユーザ側管理ソフトに基づき、
該ユーザ情報端末に新規にインストールされたインストールアプリケーションを検出する新規インストールアプリケーション検出手段、
該新規インストールアプリケーション検出手段が新規なインストールアプリケーションの存在を判定したときに、前記管理サーバにその新規なインストールアプリケーションの情報と該ユーザ情報端末の情報とを第２情報として送信する関連情報送信手段、
として機能するように設定され、
前記管理サーバは、前記ユーザ情報端末からの第２情報を受領したときに、該第２情報と前記第１情報とを比較照合して、アプリケーションの購入に貢献したメディアアプリケーションを特定するように設定されている構成としてある。この請求項１の好ましい態様としては、請求項２に記載の通りである。
【０００９】
上述の第２の技術的課題を解決するために本発明（請求項３に係る発明）においては、  
多数のアプリケーションを保有して該アプリケーションのダウロードサービスを行うダウンロードサービスサイトと、該ダウンロードサービスサイトからアプリケーションをダウンロード可能とされていると共に、コンテンツ及び広告表示を表示させることが可能なメディアアプリケーションがインストールされているユーザ情報端末とに対して、ネットワークを介して連なり、前記ユーザ情報端末のメディアアプリケーションに対して前記ダウンロードサービスサイトに保有されるアプリケーションの広告表示を配信するネットワーク広告管理システム用管理サーバであって、
前記ユーザ情報端末が、前記メディアアプリケーションが該ユーザ情報端末に表示させる広告表示を選択することにより、該広告表示に設定されるリンク先情報に基づき前記ダウンロードサービスサイトにアクセスするに先立って経由したとき、その選択された広告表示に対応するアプリケーション情報、該ユーザ情報端末にインストールされるメディアアプリケーションの情報及び該ユーザ情報端末の情報を取得して第１情報として保存する取得保存手段と、
前記ユーザ情報端末から、新規にインストールされたインストールアプリケーションの情報と該ユーザ情報端末の情報とを第２情報として受領する受領手段と、
前記取得保存手段が保存する第１情報と、前記受領手段が受領した第２情報とを比較照合して、該第１、第２情報に関連するメディアアプリケーションを特定するメディアアプリケーション特定手段と、を備えている構成としてある。
【００１０】
上述の第３の技術的課題を解決するために本発明（請求項４に係る発明）においては、  
多数のアプリケーションを保有して該アプリケーションのダウロードサービスを行うダウンロードサービスサイトと、該ダウンロードサービスサイトからアプリケーションをダウンロード可能とされていると共に、コンテンツ及び広告表示を表示させることが可能なメディアアプリケーションがインストールされているユーザ情報端末と、前記ユーザ情報端末のメディアアプリケーションに対して前記ダウンロードサービスサイトに保有されるアプリケーションの広告表示を配信する管理サーバとが、ネットワークを介して連なるネットワーク広告管理システムの下で、前記メディアアプリケーションに組み込まれるネットワーク広告管理システム用プログラムであって、
コンピュータを、
前記メディアアプリケーションがインストールされるユーザ情報端末において、新規にインストールされたアプリケーションを検出する新規インストールアプリケーション検出手段、
前記新規インストールアプリケーション検出手段の結果に基づき、新規インストールアプリケーションが存在すると判断したときには、該新規インストールアプリケーションの情報と前記ユーザ情報端末の情報とを、前記管理サーバに送り出す関連情報送信手段、
として機能させる構成としてある。この請求項４の好ましい態様としては、請求項５以下に記載の通りである。
【発明の効果】
【００１１】
本発明（請求項１に係る発明）によれば、広告表示を閲覧させるメディアアプリケーションにユーザ側管理ソフトを組み込むだけで、アプリケーションの販売に貢献したメディアアプリケーションを特定できることになり、広告表示に対応するアプリケーションにユーザ側管理ソフトを組み込む必要がなくなる。このため、メディアアプリケーションを利用した広告へのアプリケーションの掲載負担を軽減できる
【００１２】
請求項２に係る発明によれば、前記ユーザ情報端末が、前記ユーザ側管理ソフトに基づき、前記アプリケーションの広告表示の配信を要求する広告配信要求手段、該広告配信要求手段の要求に基づき配信を受けたアプリケーションの広告表示に、前記リンク先情報の他に、該ユーザ情報端末の情報、メディアアプリケーションの情報を設定する情報設定手段としても機能するように設定されていることから、ユーザ情報端末が管理サーバを経由してダウンロードサービスサイトにアクセスする際、管理サーバに第１情報を的確に渡すことができることは勿論、メディアアプリケーションの開発販売者の負担を軽減できる。
【００１３】
本発明（請求項３に係る発明）によれば、管理サーバが、メディアアプリケーションがユーザ情報端末に表示させる広告表示を選択することにより該広告表示に設定されるリンク先情報に基づきアクセスされたとき、その選択された広告表示に対応するアプリケーション情報、ユーザ情報端末にインストールされるメディアアプリケーションの情報及び該ユーザ情報端末の情報を取得して第１情報として保存する取得保存手段と、ユーザ情報端末から、新規にインストールされたインストールアプリケーションの情報と該ユーザ情報端末の情報とを第２情報として受領する受領手段と、取得保存手段が保存する第１情報と、受領手段が受領した第２情報とを比較照合して、該第１、第２情報に関連するメディアアプリケーションを特定するメディアアプリケーション特定手段と、を備えていることから、アプリケーションの販売に貢献したメディアアプリケーションを的確に特定することができる。
【００１４】
本発明（請求項４に係る発明）によれば、コンピュータを、メディアアプリケーションがインストールされるユーザ情報端末において、新規にインストールされたアプリケーションを検出する新規インストールアプリケーション検出手段、新規インストールアプリケーション検出手段の結果に基づき、新規インストールアプリケーションが存在すると判断したときには、該新規インストールアプリケーションの情報とユーザ情報端末の情報とを、管理サーバに送り出す関連情報送信手段、として機能させることから、メディアアプリケーションに広告されるアプリケーションにトラッキングソフト（プログラム）をそれぞれ組み込まなくても、当該プログラムをメディアアプリケーションに組み込むだけで、ネットワーク広告管理システムにおいて、トラッキング処理のための情報（第２情報）を的確に管理サーバに提供できる。これに伴い、メディアアプリケーションにおいてアプリケーションを広告しようとする広告主の負担を軽減できる。
【００１５】
請求項５に係る発明によれば、コンピュータによる新規インストールアプリケーション検出手段としての機能が、前記メディアアプリケーションがインストールされるユーザ情報端末において、該ユーザ情報端末にインストールされているインストールアプリケーションを検索するインストールアプリケーション検索手段、前記インストールアプリケーション検索手段の検索結果を順次、更新して、前記ユーザ情報端末にインストールされているアプリケーションのアプリケーションリストを作成するアプリケーションリスト作成手段、前記インストールアプリケーション検索手段の検索結果と、該インストールアプリケーション検索手段の検索直前における前記アプリケーションリストとを比較して、該アプリケーションリストに存在しなかったアプリケーションを新規インストールアプリケーションとして検出する新規インストールアプリケーション検索手段、としての機能を有し、前記関連情報送信手段としての機能が、前記新規インストールアプリケーション検索手段の結果に基づき、新規インストールアプリケーションが存在すると判断したときに、該新規インストールアプリケーションの情報と前記ユーザ情報端末の情報とを、前記管理サーバに送り出すように設定されていることから、前記請求項４の作用効果を具体的に実現できる。
【００１６】
請求項６に係る発明によれば、コンピュータを、前記メディアアプリケーションにおいて広告表示されるアプリケーションのＵＲＬスキームを前記管理サーバに要求するＵＲＬスキーム要求手段としても機能するように設定され、前記インストールアプリケーション検索手段としての機能が、前記ＵＲＬスキーム要求手段による要求に基づき入手したＵＲＬスキームを利用して、前記ユーザ情報端末にインストールされるインストールアプリケーションを検索するように設定されていることから、ユーザ情報端末におけるインストールアプリケーションを容易に検索でき、これに伴い、新規なインストールアプリケーションも容易に検索できる。
【００１７】
請求項７に係る発明によれば、インストールアプリケーション検索手段としての機能が、前記ユーザ情報端末に対して、該ユーザ情報端末にインストールされているインストールアプリケーションのリストを要求するように設定されていることから、基本ソフト（ＯＳ（Andoroid等））に基づくユーザ情報端末の機能により、この場合も、ユーザ情報端末におけるインストールアプリケーションを容易に検索でき、これに伴い、新規なインストールアプリケーションも容易に検索できる。
【００１８】
請求項８に係る発明によれば、コンピュータを、前記アプリケーションの広告表示を前記管理サーバに要求する広告配信要求手段、前記メディアアプリケーションが前記ユーザ情報端末に表示させるアプリケーションの広告表示に、前記管理サーバを経て前記ダウンロードサービスサイトにアクセスするためのリンク先情報、前記広告表示に対応するアプリケーションの情報、前記ユーザ情報端末にインストールされるメディアアプリケーションの情報及び該ユーザ情報端末の情報を設定する情報設定手段、としても機能させることから、当該プログラムにより、ネットワーク広告管理システムにおいて、トラッキング処理のための情報（第１情報）を的確に管理サーバに提供できる。
【図面の簡単な説明】
【００１９】
【図１】本発明の一実施形態としてのネットワーク広告配信管理システムの全体構成を示す図。
【図２】ユーザ端末の内部構造を説明する説明図。
【図３】ユーザ端末の表示画面に表示されるコンテンツ表示が広告アプリケーション掲載一覧表示に切り換えた状態を説明する図。
【図４】ユーザ端末内での新規インストールアプリケーションの検索と、新規インストールアプリケーションに関連する関連情報の広告管理サーバへの送信を説明する説明図。
【図５】ユーザ端末でのリワード広告の制御例を示すフローチャート。
【図６】図５の続きを示すフローチャート。
【図７】管理サーバにおける広告配信の制御例を示すフローチャート。
【図８】ユーザ端末が管理サーバを経由してアプリストアにアクセスするに際して、管理サーバがユーザ端末ＩＤ等（第１情報）の取得を行う制御例を示すフローチャート。
【図９】管理サーバが、ユーザ端末におけるアプリのダウンロード／インストール後に、トラッキング処理（照合等）を行う制御例を示すフローチャート。
【発明を実施するための形態】
【００２０】
以下、本発明の実施形態について、図面に基づいて説明する。
【００２１】
１．ネットワーク広告管理システムの概要
図１は、実施形態に係るネットワーク広告管理システムの全体構成を示す図である。この図１において、符号Ｕ１，Ｕ２，Ｕ３（代表符号Ｕ）は、ユーザ情報端末であるユーザ端末（多くのうちの一部）である。符号ＭＳは、広告管理会社が管理、運営する管理サーバであって、ユーザ端末Ｕ１，Ｕ２，Ｕ３に対する広告の配信等を管理するものである。符号ＡＳはユーザ端末Ｕ１，Ｕ２，Ｕ３において使用するアプリケーション（以下、アプリという）を販売するダウンロードサービスサイトとしてのアプリストアである。このユーザ端末Ｕ１，Ｕ２，Ｕ３、管理サーバＭＳ及びアプリストアＡＳは、インターネット等のネットワークを介して互いに通信可能となっており、ユーザは、アプリストアＡＳからユーザ端末Ｕ１，Ｕ２，Ｕ３にアプリをダウンロードし、そのアプリのコンテンツ（ゲーム等）を楽しむことができることになっている。
【００２２】
このユーザ端末Ｕ１，Ｕ２，Ｕ３にインストールされているアプリの中には、そのアプリの人気度を利用して、他のアプリの販売促進を行うべく、その他のアプリの掲載アプリ表示を表示してそれらに関しリワード広告を行うもの（以下、メディアアプリ（メディアアプリケーションの略称）という）がある。リワード広告とは、ユーザ端末Ｕ１，Ｕ２，Ｕ３が表示するメディアアプリの表示画面上において、アプリの掲載表示を閲覧し、その掲載アプリをアプリストアＡＳで購入した場合に、メディアアプリ（例えばゲームソフト）のアイテムやポイント等を付与する広告サービスであり、メディアアプリユーザ（例えばゲームソフトユーザ）は、そのリワード広告に動機づけられて掲載アプリを購入する傾向にある。このため、メディアアプリユーザは、掲載アプリを購入するときには、メディアアプリ中の掲載アプリ表示からアプリストアＡＳにアクセスし、そこから希望のアプリを自己のユーザ端末Ｕ１，Ｕ２，Ｕ３にダウンロードすることになる。
【００２３】
このため、このような場合に対応して、広告管理会社の管理サーバＭＳは、メディアアプリ側（ユーザ端末Ｕ１，Ｕ２，Ｕ３側）からの要求に対してメディアアプリ（ユーザ端末）にリワード広告一覧表示情報（アプリ掲載一覧情報等）を配信するばかりでなく（図１中、破線矢印参照）、種々のタイミングを捉えて、各種情報を取得し、それらを照合することにより、掲載アプリの販売に貢献したメディアアプリを特定する。これにより、メディアアプリの開発販売者に、掲載アプリ販売に対する貢献として成功報酬が支払われると共に、メディアアプリユーザの掲載アプリ購入行為に対してリワードを付与できるようにすべく、掲載アプリの購入対象者情報が提供される。
勿論、アプリ（メディアアプリ）内でリワード広告を行うに際しては、アプリをメディアアプリとしようとするアプリ開発販売者と、メディアアプリ内でリワード広告を行ってもらいたい掲載アプリの広告主と、広告管理会社との間で、広告等に関する契約が予め結ばれる。
【００２４】
２．ネットワーク広告管理システムの具体的内容
前記ユーザ端末Ｕ１，Ｕ２，Ｕ３は、本実施形態においては、例えばスマートフォン等のように、外部からアプリをダウンロードしてインストールできると共に、そのアプリのコンテンツを表示できるものを対象としている。このため、ユーザ端末Ｕ１，Ｕ２，Ｕ３は、図２に示すように、演算制御手段としてのＣＰＵ１，ネットワークへの通信手段２、各種制御を実行する際のデータを記憶しておくＲＡＭ３，ＣＰＵ１に基本動作を行わせるＯＳ４、メモリ５、入力手段６、ディスプレイ７等のコンピュータとしての各要素を備えている。
【００２５】
ユーザ端末Ｕ１，Ｕ２，Ｕ３には、図１に示すように、メディアアプリがインストールされている。ユーザ端末Ｕ１，Ｕ２，Ｕ３にインストールされるアプリは、基本的に、ユーザの購入行為に基づきアプリストアＡＳからダウンロードされることになるが、そのアプリにおいてリワード広告が行われるか否かは（メディアアプリになるか否かは）、そのアプリの開発販売者と、リワード広告として掲載してもらいたいアプリの広告主と、広告管理会社との契約の成立が条件となる。勿論この場合、メディアアプリは、各ユーザ端末Ｕ１，Ｕ２，Ｕ３において、同一アプリからなるものもあれば、異なるアプリからなるものもあり、その数も、各ユーザ端末Ｕ１，Ｕ２，Ｕ３において異なる。以下、理解を容易にするために、代表の一つのユーザ端末（代表符号Ｕ）に着目し、そのユーザ端末Ｕのメモリに一つのメディアアプリ８がインストールされているものとして説明する。
【００２６】
ユーザ端末Ｕにインストールされているメディアアプリ８は、通常のアプリ同様、そのアプリを起動することにより、コンテンツ（例えばゲーム等）を動作させてそのコンテンツを楽しむことができる他に（図３上段参照）、ユーザの切り換え操作により、リワード広告を行うべく、他のアプリを紹介するリワード広告一覧表示９を表示できることになっている（図３下段参照）。このため、このメディアアプリ８には、その開発販売者と広告管理会社との間の契約に基づき、そのメディアアプリの１つのプログラムとして、ユーザ側管理ソフト（通称、ＳＤＫ（Software Development Kit）：以下、ＳＤＫを用いる）が予め組み込まれており（図４参照）、そのＳＤＫは、上記内容を実現すべく、ユーザ端末Ｕ（ＣＰＵ１）に、上述のコンテンツ表示とリワード広告一覧表示９との切り換え機能（切り換え表示）、メディアアプリ８内でのリワード広告一覧表示９における各掲載アプリ表示の表示場所を決める機能、その各表示場所へ掲載アプリ表示として表示させるための掲載アプリ表示情報を管理サーバＭＳに要求する機能（広告配信要求手段としての機能）等を実行させる。
【００２７】
この場合、上記リワード広告一覧表示９における各掲載アプリ表示ａ，ｂ，ｃ（図３中、下段参照）には、管理サーバＭＳを経てアプリストアＡＳにアクセス（リダイレクト）するためのＵＲＬ（リンク先を含むコード）がそれぞれ埋め込まれている。その各ＵＲＬには、Query String（ＵＲＬ中の？マーク以降の欄）においてユーザ端末ＩＤ、メディアアプリＩＤ、その掲載アプリ表示の掲載アプリ情報等が、ＳＤＫに基づいてユーザ端末Ｕにより付与されることになっている（情報設定手段としての機能）。これにより、リダイレクトの際、そのユーザ端末ＩＤ、メディアアプリＩＤ、ユーザが選択した掲載アプリ情報等が管理サーバＭＳに取得されることになっている。勿論この他の手段を用いて、ユーザ端末ＩＤ、メディアアプリＩＤ、選択した掲載アプリ情報等が管理サーバＭＳに取得されるようにしてもよい。
【００２８】
さらに、ＳＤＫは、リワード広告一覧表示９に掲載される掲載アプリをメディアアプリ８を経由してアプリストアＡＳで購入した場合に、その掲載アプリの購入に貢献したメディアアプリ８を特定（トラッキング処理）するべく、リワード広告一覧表示情報と共にその各掲載アプリのＵＲＬスキームを管理サーバＭＳに要求する機能（ＵＲＬスキーム要求手段としての機能）、その各掲載アプリのＵＲＬスキームを利用して、ユーザ端末Ｕに新たに掲載アプリがインストールされたか否かを検索（判別）する機能（新規インストールアプリケーション検出手段、インストールアプリケーション検索手段、アプリケーションリスト作成手段、新規インストールアプリケーション検索手段としての機能：図４参照）、ユーザ端末Ｕに新たに掲載アプリがインストールされている場合に、その新たにインストールされた掲載アプリ情報およびユーザ端末ＩＤを管理サーバ８に送信する機能（関連情報送信手段としての機能：図１参照）をユーザ端末Ｕ（ＣＰＵ１）に実行させるように設定されている。
上記ユーザ端末Ｕに新たに掲載アプリがインストールされたか否かを検索させることに関しては、ＳＤＫは、図４に示すように、ユーザ端末Ｕに各掲載アプリのＵＲＬスキームをリクエストさせることにより、ユーザ端末Ｕにインストールされている掲載アプリを検索させ、その後、ユーザ端末Ｕに、その時点でのインストールされている掲載アプリ（インストールアプリ）と、その前に検索されたインストールアプリのアプリリストとの比較から、新しくインストールされたアプリが存在するか否かを判断させる。ここで、上記ＵＲＬスキームを利用した検索においては、ＳＤＫからユーザ端末内のＯＳに対して任意のＵＲＬを指定することによりそのＵＲＬにより表されるアプリケーションがユーザ端末Ｕによりインストールされているか否かが判別できるというＵＲＬスキームの特徴が利用される。
【００２９】
本実施形態においては、掲載アプリが新たにユーザ端末Ｕにインストールされたか否かを検索するために、上述のようにＵＲＬスキームを利用する場合（例えばＯＳがｉＯＳの場合）について説明したが、ＯＳ標準の機能として、インストール済みのアプリの一覧が取得可能の場合（例えばＯＳがAndroid）には、そのアプリ一覧を利用し、その時点のアプリ一覧と、その前に取得したアプリ一覧との比較により、新しくアプリがインストールされたか否かをユーザ端末Ｕに判断させてもよい。このような処理をユーザ端末Ｕに行わせるＳＤＫは、広告管理会社により開発される。このリワード広告一覧表示９に掲載される掲載アプリの購入に貢献したメディアアプリ８を特定するためのトラッキング処理については、後に詳述する。
【００３０】
前記管理サーバＭＳは、図１に示すように、広告配信サーバＭＳ１と、広告管理サーバＭＳ２と、を備えている。これらは、勿論、コンピュータとしての各要素を備えている。広告配信サーバＭＳ１は、ユーザ端末Ｕ（ＳＤＫ）からの広告配信要求に対して、リワード広告一覧表示９情報、そのリワード広告一覧表示９に掲載される各掲載アプリ（表示ａ，ｂ，ｃ）のＵＲＬスキーム等を配信する機能を有している。広告管理サーバＭＳ２は、ユーザ端末Ｕがリワード広告一覧表示９における掲載アプリ表示ａ，ｂ，ｃを経由してアプリストアＡＳにアクセスする際、ユーザ端末ＩＤ、メディアアプリＩＤ、掲載アプリ情報を取得保存する機能（取得保存手段としての機能）、ユーザがアプリストアＡＳで掲載アプリの購入に至った場合（ユーザ端末Ｕへのインストール後）には、その際、送信されるユーザ端末ＩＤ、新たにインストールされたアプリ情報を取得する機能（受領手段としての機能）、それら情報を比較照合することに基づき、掲載アプリの購入に貢献したメディアアプリ８を特定する機能（メディアアプリケーション特定手段としての機能）等を有している。これにより、成功報酬の支払い対象となるメディアアプリ８、リワード広告に基づくリワードを付与するユーザが特定されることになる。
【００３１】
前記アプリストアＡＳは、既知の如く、ユーザ端末Ｕにおいて使用できる種々のアプリを多数保有している。アプリストアＡＳは、その中のアプリに対してユーザ端末Ｕから購入意思操作が行われたとき（カード決済）、その購入されたアプリをユーザ端末Ｕに送る機能（ダウンロード機能）を有している。このアプリストアＡＳが保有するアプリのうち、ユーザ端末Ｕに表示されるリワード広告一覧に掲載される掲載アプリに関しては、掲載アプリの広告主と広告管理会社との契約に基づき、ＵＲＬスキームがそれぞれ設定されている。なお、広告主が任意に既にＵＲＬスキームを掲載アプリに設定していた場合は、それを利用することができる。
【００３２】
このようなネットワーク広告管理システムにおいては、ユーザ端末Ｕにメディアアプリ８がインストールされている場合には、その起動中において、リワード広告一覧表示を閲覧することができ、そのリワード広告一覧表示における掲載アプリ表示をタッチ（選択）したときには、その掲載アプリ表示に埋め込まれているリンク先情報に基づき、ユーザ端末Ｕは、管理サーバＭＳ（広告管理サーバＭＳ２）を介してアプリストアＡＳにアクセスする（リダイレクト）。この管理サーバＭＳを経由する際に、ユーザ端末ＩＤ、メディアアプリＩＤ、選択した掲載アプリ情報等が広告管理サーバＭＳ２に取得され、それらは第１情報として保存される。
この後、アプリストアＡＳで、選択した掲載アプリを購入し、それを自己のユーザ端末Ｕにダウンロード／インストールすると、ＳＤＫの働きに基づき、ユーザ端末Ｕは、ＵＲＬスキームを利用してインストールされているアプリを検索し、そのインストールアプリ情報と、これまで順次、更新してきたインストールアプリのアプリリスト情報との比較により、新たにインストールされたアプリが存在するか、また、存在するとすれば、どのようなアプリかを検出する。そして、ユーザ端末Ｕは、新たにインストールされたアプリが存在すると判断した場合には、その新たにインストールされたアプリ情報およびユーザ端末ＩＤを広告管理サーバＭＳ２に第２情報として送信する。
【００３３】
広告管理サーバＭＳ２は、ユーザ端末Ｕから、第２情報（新たにインストールされたアプリ情報およびユーザ端末ＩＤ）を受けとると、その第２情報と、前述の管理サーバＭＳを経由する際に取得、保存される第１情報（ユーザ端末ＩＤ、メディアアプリＩＤ、選択した掲載アプリ情報等）とが照合され、リワード広告一覧に掲載される掲載アプリの購入に貢献したメディアアプリが特定される。これにより、メディアアプリの開発販売者に、アプリ販売に対する貢献として成功報酬が支払われると共に、メディアアプリユーザのアプリ購入行為に対してリワードを付与できるようにすべく、掲載アプリの購入対象者情報（ユーザ情報）が提供される。
【００３４】
したがって、このようなネットワーク広告管理システムにおいては、メディアアプリ８にだけＳＤＫを組み込むだけで、上述のように、掲載アプリの販売に貢献したメディアアプリを特定できることになり、メディアアプリ８に掲載する各掲載アプリ（アプリストアＡＳに存在するもの）にトラッキングソフト（購入アプリの最初の起動時に、ユーザ端末Ｕからユーザ端末ＩＤを管理サーバＭＳ送信させるようなもの）を組み込む必要がなくなる。このため、メディアアプリを利用したリワード広告への掲載アプリの掲載負担を著しく軽減でき、アプリのメディアアプリ８への掲載（広告）が促進されることになる。
この場合、メディアアプリ８にＳＤＫが組み込まれることになるが、そのＳＤＫは、広告管理会社が開発するものであり、この点に関して、アプリをメディアアプリにしようとする開発販売者には負担とならない。また、メディアアプリの開発販売者は、広告配信だけを行わせる従前のＳＤＫの組み込み作業と同じ作業を行えばよく、組み込み作業負担が増大することはない。
【００３５】
３．ネットワーク広告管理システムの具体的制御例
次に、上記実施形態に係るシステムの動作を、図５〜図９に示すフローチャートに基づいて具体的に説明する。尚、図５、図６におけるＳ、図７におけるＱ、図８におけるＲ、図９におけるＴは、それぞれステップを示す。また、ユーザ端末Ｕには、メディアアプリ８がインストールされ、そのメディアアプリ８は、通常のコンテンツを表示するアプリ（例えばゲームソフト等）であって、そのメディアアプリ８内に、多数のアプリの広告を目的としたリワード広告一覧情報等の広告配信等を行うためのＳＤＫが組み込まれているものとする。
【００３６】
先ず、ユーザがユーザ端末Ｕのメディアアプリ８を起動又はアクティブ化すると、そのメディアアプリ８に組み込まれているＳＤＫが読み込まれる（Ｓ１，Ｓ２）。この後、ユーザが、ディスプレイ７上におけるメディアアプリ８のコンテンツ表示（例えばゲーム表示）において、リワード広告一覧の選択表示（図示略）を選択したときには、図３に示すように、コンテンツ表示からリワード広告一覧表示９に切り替わる。次のＳ４においては、初回のフラグＦ＝０を設定する必要があるか否かを判別すべく、そのリワード広告一覧表示９が初回か否かが判別される。最初は、リワード広告一覧表示９は初回であるから、Ｓ４がＹＥＳと判断され、Ｓ５において、フラグＦがＦ＝０と設定される。このフラグＦは、アプリのダウロード／インストール終了後、トラッキング処理（リワード広告一覧表示９に掲載の掲載アプリ購入に貢献した経由メディアアプリ８の照合処理）が終了しているか否かを判定するもので、Ｆ＝１のときは、掲載アプリのダウロード／インストール終了後、トラッキング処理が終了していない状態を示し、Ｆ＝０のときは、掲載アプリのダウロード／インストールがなされていない状態、或いは掲載アプリのダウロード／インストール終了後、トラッキング処理が終了している状態を示す。一番最初においては、トラッキング処理をする必要がないことから、Ｓ５に示すように、Ｆ＝０とされて、掲載アプリのダウロード／インストールがなされていない状態と設定される。
【００３７】
次のＳ６においては、ユーザ端末Ｕは、リワード広告一覧表示情報、そのリワード広告一覧表示９に示される各掲載アプリのＵＲＬスキーム情報を要求する。このユーザ端末Ｕから管理サーバＭＳ（広告管理サーバＭＳ２）への要求がなされると、管理サーバＭＳは、その要求に応じて、リワード広告一覧表示情報等をユーザ端末Ｕに配信することになり、ユーザ端末Ｕは、Ｓ７において、そのリワード広告一覧表示情報等を取得する。
この場合、管理サーバＭＳ（広告配信サーバＭＳ１）は、図７に示すように、Ｑ１において、常時、リワード広告一覧表示情報等の要求を受領したか否か判別しており、そのＱ１の判別がＹＥＳのときには、リワード広告一覧表示情報等をユーザ端末Ｕに配信するように設定されている（図１破線参照）。
【００３８】
Ｓ７において、リワード広告一覧表示情報等をユーザ端末Ｕが取得すると、Ｓ８において、フラグＦがＦ＝１か否かが判別される。一番最初は、前述のＳ５においてＦ＝０と設定されることから、Ｓ８の判別がＮＯと判定され、次のＳ９において、ユーザ端末Ｕにおけるメモリに記憶されるアプリのアプリリストを新規に作成する必要があるか否かを判別すべく、リワード広告の一覧表示が初回か否かが判別される。一番最初は、リワード広告の一覧表示が初回であるから、Ｓ９がＹＥＳと判定されて、Ｓ１０において、ユーザ端末Ｕにおけるメモリにインストールされているアプリとして、どのようなものがあるかをチェックする。
本実施形態においては、このチェックのためにＵＲＬスキームが利用される。具体的には、ユーザ端末ＵにおけるＳＤＫが、ユーザ端末Ｕに前記Ｓ７において取得した各掲載アプリのＵＲＬスキームをリクエストさせ、各掲載アプリのインストールの有無が判別される。ユーザ端末Ｕにおけるメモリにインストールされているアプリをチェックする方法としては、この他に、ＯＳの標準機能として、インストール済みのアプリの一覧が取得可能な場合（例えばAndroid）には、それを利用してもよい。
【００３９】
Ｓ１０において、ユーザ端末Ｕのメモリにインストールされているアプリとしてどのようなものがあるかが判定されると、Ｓ１１において、アプリリストが新規に作成され、Ｓ１２において、その内容がメモリ記憶され、次のＳ１３に進む。
【００４０】
Ｓ１３においては、前記Ｓ７において取得したリワード広告一覧表示９情報中に、前記Ｓ１１で作成したアプリリストに示すアプリがあるか否かが判別される。このＳ１３がＹＥＳのときには、図３下段に示すように、Ｓ１４において、ユーザ端末Ｕの表示画面にリワード広告一覧が表示されると共に、既にユーザ端末Ｕにインストールされているアプリの掲載アプリ表示（図３では掲載アプリ表示ｃ）については、注意書き「インストール済」が表示され、次のＳ１５に進む。この場合、既にユーザ端末Ｕにインストールされているアプリの掲載アプリ表示に関しては、別の態様として、Ｓ１４において、その掲載アプリ表示ｃ自体を表示しないようにしてもよい。
一方、Ｓ１３がＮＯのときには、リワード広告一覧表示情報の掲載アプリの中には、ユーザ端末Ｕに既にインストールされているものがないことから、Ｓ１６において、注意書き「インストール済み」の表示を表示することなくリワード広告一覧表示９が表示され、その後、次のＳ１５に進む。
【００４１】
Ｓ１５においては、リワード広告一覧表示９から掲載アプリ表示が選択されたか否かが判別される。Ｓ１５がＮＯのときには、リターンされる一方、Ｓ１５がＹＥＳのときには、Ｓ１７において、メディアアプリ８が終了又はバックグラウンド化し、次のＳ１８において、アプリストアＡＳにアクセスされてその購入画面表示が表示される。
この場合、管理サーバＭＳ（広告管理サーバＭＳ２）においては、図８に示すように、Ｒ１において、ユーザ端末ＵからアプリストアＡＳにアクセスする際に、リダイレクトされること（途中、管理サーバＭＳにアクセスすること）を常時、判別しており、Ｒ１がＹＥＳのときには、管理サーバＭＳは、Ｒ２において、当該ユーザ端末Ｕのユーザ端末ＩＤ，メディアアプリＩＤ，選択した掲載アプリ情報を取得し、この後、Ｒ３において、それを、管理サーバＭＳ内の記憶手段に（図示略）に第１情報として保存する。
【００４２】
Ｓ１８において、アプリストアＡＳの購入画面表示が表示されると、この後、Ｓ１９において、Ｓ１５で選択したアプリの購入手続を経て、その掲載アプリのダウンロード、ユーザ端末Ｕへのインストール処理が行われる。このＳ１９の処理が終えると、Ｓ２０において、メディアアプリ８が起動又はアクチィブ化され、Ｓ２１において、フラグＦがＦ＝１、すなわち、アプリのダウロード／インストール終了後であって、トラッキング処理が終了していない状態であると設定され、リターンされる。
【００４３】
上記によりリターンされ、再び、Ｓ１〜Ｓ３を経てＳ４に至ると、そのＳ４において、リワード広告一覧表示９は、初回か否かが判別され、今回は、初回でないことから、Ｆ＝１を維持しつつ、Ｓ５を迂回して、直接、Ｓ６に進む。そしてこの後、Ｓ７を経てＳ８に至り、そのＳ８において、Ｆ＝１か否かが判別される。このときには、Ｆ＝１が維持された状態にあることから、Ｓ８がＹＥＳと判定され、Ｓ２２において、ユーザ端末Ｕにおけるメモリにインストールされているアプリとしてどのようなものがあるかがチェックされる。次のＳ２３において、Ｓ２２においてチェックしたインストールアプリとＳ１２におけるアプリリスト中のアプリとが比較され、新しくインストールされた掲載アプリが存在するか否かが判別される。
【００４４】
Ｓ２３がＹＥＳのときには、ＳＤＫが、ユーザ端末Ｕに、そのユーザ端末ＩＤ、新しくインストールされた掲載アプリ情報を管理サーバＭＳ（広告管理サーバＭＳ２）に送信させる。
このとき、管理サーバＭＳにおいては、図９に示すように、Ｔ１で、前記Ｓ２４におけるユーザ端末ＩＤ及び掲載アプリ情報を受信したか否かを、常時、判別しており、Ｔ１がＹＥＳのときには、Ｔ２において、その受信したＳ２４における第２情報（ユーザ端末ＩＤ及び掲載アプリ情報）と、前記Ｒ３（図８参照）において保存した第１情報（リダイレクトに伴い取得したＲ２におけるユーザ端末ＩＤ、メディアアプリＩＤ及び選択した掲載アプリ情報）とを照合する。そして、次のＴ３において、ユーザ端末ＩＤ及び掲載アプリ情報に関して一致するものがあるかが判別され、Ｔ３がＹＥＳのときは、ユーザ端末ＩＤ及び掲載アプリ情報が一致する場合であることから、その一致情報に付随するメディアアプリＩＤから、そのメディアアプリ８が掲載アプリの販売に貢献したメディアアプリ８として特定され、その情報が、成功報酬の支払い及びリワード広告に基づくリワードの付与（コンテンツのアイテムや、ポイントの付与）のために保存される。一方、Ｔ１において、ユーザ端末ＩＤ等を受信しない場合、Ｔ３において、ユーザ端末ＩＤ及び掲載アプリ情報に関して一致するものがないと判定された場合には、リターンされる。
【００４５】
Ｓ２４において、ユーザ端末ＵのＳＤＫが、そのユーザ端末Ｕに、そのユーザ端末ＩＤ、新たにユーザ端末Ｕにインストールされた掲載アプリ情報を管理サーバＭＳ（広告管理サーバＭＳ）に送信させると、Ｓ２２において検索したアプリがインストールされている最新の掲載アプリであるとして、アプリリストが更新され、それは記憶手段に記憶され、次のＳ２６に進む。
一方、Ｓ２３がＮＯのときには、管理サーバＭＳにユーザ端末ＩＤ等を送信することなく、Ｓ２６に直接、進む。
【００４６】
Ｓ２２〜Ｓ２５の処理を経ることにより、アプリのダウロード／インストール終了後におけるトラッキング処理が終了したことになり、Ｓ２６においては、Ｆ＝０と設定され、前記Ｓ１３に進む。
【００４７】
前記Ｓ９の判別がＮＯのときには、アプリのダウンロードをしていないとき（例えばＳ１５がＮＯのとき）又はアプリのダウロード／インストール終了後であってトラッキング処理が終了し、しかも、リワード広告一覧表示９が２回目以降のときであり、そのときには、Ｓ２７において、ユーザ端末Ｕのメモリにインストールされているアプリがチェックされ、そのチェックにより検出されたアプリが、前記Ｓ１３において、リワード広告一覧表示情報中に存在するか否かが判別される。
【００４８】
尚、本発明の目的は、明記されたものに限らず、実質的に好ましい或いは利点として記載されたものに対応したものを提供することをも含むものである。
【符号の説明】
【００４９】
Ｕ  ユーザ端末
ＭＳ  管理サーバ
ＭＳ２  広告管理サーバ
ＡＳ  アプリストア
１  ＣＰＵ
８  メディアアプリ
９  リワード広告一覧表示
【図１】
2013080319.tif 000003
【図２】
2013080319.tif 000004
【図３】
2013080319.tif 000005
【図４】
2013080319.tif 000006
【図５】
2013080319.tif 000007
【図６】
2013080319.tif 000008
【図７】
2013080319.tif 000009
【図８】
2013080319.tif 000010
【図９】
2013080319.tif 000011
【手続補正書】
【提出日】平成24年3月10日(2012.3.10)
【手続補正１】
【補正対象書類名】特許請求の範囲
【補正対象項目名】全文
【補正方法】変更
【補正の内容】
【特許請求の範囲】
【請求項１】
多数のアプリケーションを保有して該アプリケーションのダウロードサービスを行うダウンロードサービスサイトと、該ダウンロードサービスサイトからアプリケーションをダウンロード可能とされていると共に、コンテンツ及び広告表示を表示させることが可能なメディアアプリケーションがインストールされているユーザ情報端末と、前記ダウンロードサービスサイトに対して別個独立した存在であって前記ユーザ情報端末のメディアアプリケーションに対して前記ダウンロードサービスサイトに保有されるアプリケーションの広告表示を配信する管理サーバとが、ネットワークを介して連なるネットワーク広告管理システムであって、
前記ユーザ情報端末におけるメディアアプリケーションに、ユーザ側管理ソフトが組み込まれ、
前記メディアアプリケーションが前記ユーザ情報端末に表示させる広告表示に、前記管理サーバを経由して前記ダウンロードサービスサイトへアクセスするためのリンク先情報が設定され、
前記管理サーバは、前記ユーザ情報端末が前記広告表示を選択して該広告表示におけるリンク先情報に基づき該管理サーバを経由して前記ダウンロードサービスサイトにアクセスするとき、その選択された広告表示に対応するアプリケーション情報、該ユーザ情報端末にインストールされたメディアアプリケーションの情報及び該ユーザ情報端末の情報を取得して第１情報として保存するように設定され、
前記ユーザ情報端末は、前記ユーザ側管理ソフトに基づき、
該ユーザ情報端末に新規にインストールされたインストールアプリケーションを検出する新規インストールアプリケーション検出手段、
該新規インストールアプリケーション検出手段が新規なインストールアプリケーションの存在を判定したときに、前記管理サーバにその新規なインストールアプリケーションの情報と該ユーザ情報端末の情報とを第２情報として送信する関連情報送信手段、
として機能するように設定され、
前記管理サーバは、前記ユーザ情報端末からの第２情報を受領したときに、該第２情報と前記第１情報とを比較照合して、アプリケーションの購入に貢献したメディアアプリケーションを特定するように設定されている、
ことを特徴とするネットワーク広告管理システム。
【請求項２】
請求項１において、
前記ユーザ情報端末が、前記ユーザ側管理ソフトに基づき、
前記アプリケーションの広告表示の配信を要求する広告配信要求手段、
該広告配信要求手段の要求に基づき配信を受けたアプリケーションの広告表示に、前記リンク先情報の他に、該ユーザ情報端末の情報、メディアアプリケーションの情報を設定する情報設定手段、
としても機能するように設定されている、
ことを特徴とするネットワーク広告管理システム。
【請求項３】
多数のアプリケーションを保有して該アプリケーションのダウロードサービスを行うダウンロードサービスサイトと、該ダウンロードサービスサイトからアプリケーションをダウンロード可能とされていると共に、コンテンツ及び広告表示を表示させることが可能なメディアアプリケーションがインストールされているユーザ情報端末とに対して、前記ダウンロードサービスサイトに対して別個独立した存在としてネットワークを介して連なり、前記ユーザ情報端末のメディアアプリケーションに対して前記ダウンロードサービスサイトに保有されるアプリケーションの広告表示を配信するネットワーク広告管理システム用管理サーバであって、
前記ユーザ情報端末が、前記メディアアプリケーションが該ユーザ情報端末に表示させる広告表示を選択することにより、該広告表示に設定されるリンク先情報に基づき前記ダウンロードサービスサイトにアクセスするに先立って経由したとき、その選択された広告表示に対応するアプリケーション情報、該ユーザ情報端末にインストールされるメディアアプリケーションの情報及び該ユーザ情報端末の情報を取得して第１情報として保存する取得保存手段と、
前記ユーザ情報端末から、新規にインストールされたインストールアプリケーションの情報と該ユーザ情報端末の情報とを第２情報として受領する受領手段と、
前記取得保存手段が保存する第１情報と、前記受領手段が受領した第２情報とを比較照合して、該第１、第２情報に関連するメディアアプリケーションを特定するメディアアプリケーション特定手段と、を備えている、
ことを特徴とするネットワーク広告管理システム用管理サーバ。
【請求項４】
多数のアプリケーションを保有して該アプリケーションのダウロードサービスを行うダウンロードサービスサイトと、該ダウンロードサービスサイトからアプリケーションをダウンロード可能とされていると共に、コンテンツ及び広告表示を表示させることが可能なメディアアプリケーションがインストールされているユーザ情報端末と、前記ダウンロードサービスサイトに対して別個独立した存在として、前記ユーザ情報端末のメディアアプリケーションに対して前記ダウンロードサービスサイトに保有されるアプリケーションの広告表示を配信する管理サーバとが、ネットワークを介して連なるネットワーク広告管理システムの下で、前記メディアアプリケーションに組み込まれるネットワーク広告管理システム用プログラムであって、
コンピュータを、
前記メディアアプリケーションがインストールされるユーザ情報端末において、新規にインストールされたアプリケーションを検出する新規インストールアプリケーション検出手段、
前記新規インストールアプリケーション検出手段の結果に基づき、新規インストールアプリケーションが存在すると判断したときには、該新規インストールアプリケーションの情報と前記ユーザ情報端末の情報とを、前記管理サーバに送り出す関連情報送信手段、
として機能させる、
ことを特徴とするネットワーク広告管理システム用プログラム。
【請求項５】
請求項４において、
コンピュータによる新規インストールアプリケーション検出手段としての機能が、
前記メディアアプリケーションがインストールされるユーザ情報端末において、該ユーザ情報端末にインストールされているインストールアプリケーションを検索するインストールアプリケーション検索手段、
前記インストールアプリケーション検索手段の検索結果を順次、更新して、前記ユーザ情報端末にインストールされているアプリケーションのアプリケーションリストを作成するアプリケーションリスト作成手段、
前記インストールアプリケーション検索手段の検索結果と、該インストールアプリケーション検索手段の検索直前における前記アプリケーションリストとを比較して、該アプリケーションリストに存在しなかったアプリケーションを新規インストールアプリケーションとして検出する新規インストールアプリケーション検索手段、
としての機能を有し、
前記関連情報送信手段としての機能が、前記新規インストールアプリケーション検索手段の結果に基づき、新規インストールアプリケーションが存在すると判断したときに、該新規インストールアプリケーションの情報と前記ユーザ情報端末の情報とを、前記管理サーバに送り出すように設定されている、
ことを特徴とするネットワーク広告管理システム用プログラム。
【請求項６】
請求項５において、
コンピュータを、前記メディアアプリケーションにおいて広告表示されるアプリケーションのＵＲＬスキームを前記管理サーバに要求するＵＲＬスキーム要求手段としても機能
するように設定され、
前記インストールアプリケーション検索手段としての機能が、前記ＵＲＬスキーム要求手段による要求に基づき入手したＵＲＬスキームを利用して、前記ユーザ情報端末にインストールされるインストールアプリケーションを検索するように設定されている、
ことを特徴とするネットワーク広告管理システム用プログラム。
【請求項７】
請求項５において、
前記インストールアプリケーション検索手段としの機能が、前記ユーザ情報端末に対して、該ユーザ情報端末にインストールされているインストールアプリケーションのリストを要求するように設定されている、
ことを特徴とするネットワーク広告管理システム用プログラム。
【請求項８】
請求項４〜７のいずれか１項において、
コンピュータを、
前記アプリケーションの広告表示を前記管理サーバに要求する広告配信要求手段、
前記メディアアプリケーションが前記ユーザ情報端末に表示させるアプリケーションの広告表示に、前記管理サーバを経て前記ダウンロードサービスサイトにアクセスするためのリンク先情報、前記広告表示に対応するアプリケーションの情報、前記ユーザ情報端末にインストールされるメディアアプリケーションの情報及び該ユーザ情報端末の情報を設定する情報設定手段、
としても機能させる、
ことを特徴とするネットワーク広告管理システム用プログラム。
【手続補正２】
【補正対象書類名】明細書
【補正対象項目名】全文
【補正方法】変更
【補正の内容】
【発明の詳細な説明】
【技術分野】
【０００１】
本発明は、ネットワーク広告管理システム、そのネットワーク広告管理システムにおいて用いられるネットワーク広告管理システム用管理サーバ及びネットワーク広告管理システム用プログラムに関する。
【背景技術】
【０００２】
近時、スマートフォン等のユーザ情報端末が普及しており、そのユーザ情報端末においては、アプリケーションをインストールした上で、そのアプリケーションをユーザ情報端末上で起動してそのアプリケーションのコンテンツを楽しむことが行われている（特許文献１参照）。このようなアプリケーションは、ダウンロードサービスサイト（例えばAppStore、Androidマーケット等）に登録、集積されており、そこから、ユーザが自己の好む
アプリケーションを自己のユーザ情報端末にダウンロードすることになる。
【０００３】
上記コンテンツを提供するアプリケーションを他のアプリケーションの広告に用いることが行われ始めている（以下、他のアプリケーションの広告のために用いられるアプリケーションをメディアアプリケーションという）。このメディアアプリケーションを用いた他のアプリケーションの広告は、メディアアプリケーションの起動中に、そのコンテンツ表示画面中或いは選択操作に基づいて開く別画面上にアプリケーション一覧表示を掲載することにより行われる。そして、そのアプリケーション一覧表示を見たメディアアプリケーションユーザ（以下、ユーザという）が、そのアプリケーション一覧表示中の気に入った掲載アプリケーション表示を選択した場合には、ユーザのユーザ情報端末がその掲載アプリケーション表示（ダウンロードサービスサイトへのリンク情報を埋設）を通じて前記ダウンロードサービスサイトにアクセスし、そのダウンロードサービスサイトにおいて、その気に入った掲載アプリケーションを購入（ダウンロード、インストール）することになる。このようにメディアアプリケーションを経由してそのメディアアプリケーションに掲載されている掲載アプリケーションをダウンロードサービスサイトで購入したときには、そのメディアアプリケーションによる貢献に対して、そのメディアアプリケーションを開発販売した開発販売者に成功報酬が支払われる。
特に、メディアアプリケーションにおいては、他のアプリケーションの広告を行うに際して、リワード広告が採用される傾向にある。リワード広告は、メディアアプリケーションのコンテンツを楽しむユーザが、そのメディアアプリケーションに掲載されている掲載アプリケーションを、そのメディアアプリケーションを経由してダウンロードサービスサイトで購入した場合に、そのメディアアプリケーションにおけるコンテンツのアイテムや、ポイントを付与しようとする広告サービスであり、このリワード広告により、ユーザに対して、メディアアプリケーションに掲載される掲載アプリケーションの購入の動機付けがなされ、掲載アプリケーションの販売促進が図られる。
【０００４】
ところで、メディアアプリケーションを利用した他のアプリケーションの広告においては、どのメディアアプリケーションを経由してメディアアプリケーションの掲載アプリケーションがダウンロードサービスサイトから購入されたかを把握するために（成功報酬の支払い等のために）、ユーザの行動を記録・追跡するトラッキング処理が行われている。
具体的には、メディアアプリケーションにおける掲載アプリケーション表示からダウンロードサービスサイトにアクセスする際に、掲載アプリケーション情報を配信する広告管理会社が運営する管理サーバを経由することになり、その際に、ユーザ情報端末ＩＤと、当該メディアアプリケーション情報と、選択した掲載アプリケーション情報とが、管理サーバに収集される。そしてこの後、ダウンロードサービスサイトにおける掲載アプリケーションの購入手続を経て、それをユーザ情報端末にダウンロード（インストールまでを含む）し、最初にその購入した掲載アプリケーションを起動したときには、そのユーザ情報端末ＩＤが前記広告管理サーバに送信される。この最初の起動時に送信されるユーザ情報端末ＩＤと、メディアアプリケーションにおける掲載アプリケーション掲載表示からダウンロードサービスサイトにアクセスする際に管理サーバに収集されたユーザ情報端末ＩＤとを比較照合することにより、掲載アプリケーションの購入のために貢献したメディアアプリケーション（開発販売者）が特定される。これにより、掲載アプリケーションの購入のために貢献したメディアアプリケーションの開発販売者に的確に成功報酬が支払われると共に、リワード広告に基づくリワードがメディアアプリケーションユーザに付与されることになり、メディアアプリケーションを利用したリワード広告が促進される。
【先行技術文献】
【特許文献】
【０００５】
【特許文献１】特開２０１１−１７５６１１号公報
【発明の概要】
【発明が解決しようとする課題】
【０００６】
しかし、上記ネットワーク広告管理システム（トラッキングシステム）においては、ダウンロードサービスサイトからダウンロードを行う各掲載アプリケーションに、上述のように、最初の起動時にユーザ情報端末ＩＤ等を管理サーバに送信するようにすべく、トラッキングソフト（トラッキング用ＳＤＫ（Software Development Kit）をそれぞれ組み込む必要があり、各掲載アプリケーションの広告主は、トラッキングソフトを組み込むための作業負担（費用）が強いられることになっている。
また、ダウンロードサービスサイトにおいては、審査（プログラムの適正審査）を経て合格したアプリケーションだけが登録・集積されることになっており、その審査には、１週間から最大１ヶ月間を要し、結果として不合格となる場合も少なくない。しかも、その審査はアップデートの度に行われる。このため、メディアアプリケーションを利用した広告にアプリケーションを掲載しようとする広告主にとっては、掲載すべきアプリケーションに対するトラッキングソフトの組み込み作業は極力避けたい状況にある。このため、メディアアプリケーションを利用した広告として、メディアアプリケーションにアプリケーションを掲載することは未だ敷居が高い。
【０００７】
本発明は、上記問題点に鑑みてなされたものであり、その第１の技術的課題は、メディアアプリケーションを利用した広告へのアプリケーションの掲載負担を軽減できるネットワーク広告管理システムを提供することにある。
第２の技術的課題は、上記ネットワーク広告管理システムに用いられるネットワーク広告管理システム用管理サーバを提供することにある。
第３の技術的課題は、上記ネットワーク広告管理システムに用いられるネットワーク広告管理システム用プログラムを提供することにある。
【課題を解決するための手段】
【０００８】
上述の第１の技術的課題を解決するために本発明（請求項１に係る発明）においては、
多数のアプリケーションを保有して該アプリケーションのダウロードサービスを行うダウンロードサービスサイトと、該ダウンロードサービスサイトからアプリケーションをダウンロード可能とされていると共に、コンテンツ及び広告表示を表示させることが可能なメディアアプリケーションがインストールされているユーザ情報端末と、前記ダウンロードサービスサイトに対して別個独立した存在であって前記ユーザ情報端末のメディアアプリケーションに対して前記ダウンロードサービスサイトに保有されるアプリケーションの広告表示を配信する管理サーバとが、ネットワークを介して連なるネットワーク広告管理システムであって、
前記ユーザ情報端末におけるメディアアプリケーションに、ユーザ側管理ソフトが組み込まれ、
前記メディアアプリケーションが前記ユーザ情報端末に表示させる広告表示に、前記管理サーバを経由して前記ダウンロードサービスサイトへアクセスするためのリンク先情報が設定され、
前記管理サーバは、前記ユーザ情報端末が前記広告表示を選択して該広告表示におけるリンク先情報に基づき該管理サーバを経由して前記ダウンロードサービスサイトにアクセスするとき、その選択された広告表示に対応するアプリケーション情報、該ユーザ情報端末にインストールされたメディアアプリケーションの情報及び該ユーザ情報端末の情報を取得して第１情報として保存するように設定され、
前記ユーザ情報端末は、前記ユーザ側管理ソフトに基づき、
該ユーザ情報端末に新規にインストールされたインストールアプリケーションを検出する新規インストールアプリケーション検出手段、
該新規インストールアプリケーション検出手段が新規なインストールアプリケーションの存在を判定したときに、前記管理サーバにその新規なインストールアプリケーションの情報と該ユーザ情報端末の情報とを第２情報として送信する関連情報送信手段、
として機能するように設定され、
前記管理サーバは、前記ユーザ情報端末からの第２情報を受領したときに、該第２情報と前記第１情報とを比較照合して、アプリケーションの購入に貢献したメディアアプリケーションを特定するように設定されている構成としてある。この請求項１の好ましい態様としては、請求項２に記載の通りである。
【０００９】
上述の第２の技術的課題を解決するために本発明（請求項３に係る発明）においては、
多数のアプリケーションを保有して該アプリケーションのダウロードサービスを行うダウンロードサービスサイトと、該ダウンロードサービスサイトからアプリケーションをダウンロード可能とされていると共に、コンテンツ及び広告表示を表示させることが可能なメディアアプリケーションがインストールされているユーザ情報端末とに対して、前記ダウンロードサービスサイトに対して別個独立した存在としてネットワークを介して連なり、前記ユーザ情報端末のメディアアプリケーションに対して前記ダウンロードサービスサイトに保有されるアプリケーションの広告表示を配信するネットワーク広告管理システム用管理サーバであって、
前記ユーザ情報端末が、前記メディアアプリケーションが該ユーザ情報端末に表示させる広告表示を選択することにより、該広告表示に設定されるリンク先情報に基づき前記ダウンロードサービスサイトにアクセスするに先立って経由したとき、その選択された広告表示に対応するアプリケーション情報、該ユーザ情報端末にインストールされるメディアアプリケーションの情報及び該ユーザ情報端末の情報を取得して第１情報として保存する取得保存手段と、
前記ユーザ情報端末から、新規にインストールされたインストールアプリケーションの情報と該ユーザ情報端末の情報とを第２情報として受領する受領手段と、
前記取得保存手段が保存する第１情報と、前記受領手段が受領した第２情報とを比較照合して、該第１、第２情報に関連するメディアアプリケーションを特定するメディアアプリケーション特定手段と、を備えている構成としてある。
【００１０】
上述の第３の技術的課題を解決するために本発明（請求項４に係る発明）においては、
多数のアプリケーションを保有して該アプリケーションのダウロードサービスを行うダウンロードサービスサイトと、該ダウンロードサービスサイトからアプリケーションをダウンロード可能とされていると共に、コンテンツ及び広告表示を表示させることが可能なメディアアプリケーションがインストールされているユーザ情報端末と、前記ダウンロードサービスサイトに対して別個独立した存在として、前記ユーザ情報端末のメディアアプリケーションに対して前記ダウンロードサービスサイトに保有されるアプリケーションの広告表示を配信する管理サーバとが、ネットワークを介して連なるネットワーク広告管理システムの下で、前記メディアアプリケーションに組み込まれるネットワーク広告管理システム用プログラムであって、
コンピュータを、
前記メディアアプリケーションがインストールされるユーザ情報端末において、新規にインストールされたアプリケーションを検出する新規インストールアプリケーション検出手段、
前記新規インストールアプリケーション検出手段の結果に基づき、新規インストールアプリケーションが存在すると判断したときには、該新規インストールアプリケーションの情報と前記ユーザ情報端末の情報とを、前記管理サーバに送り出す関連情報送信手段、
として機能させる構成としてある。この請求項４の好ましい態様としては、請求項５以下に記載の通りである。
【発明の効果】
【００１１】
本発明（請求項１に係る発明）によれば、広告表示を閲覧させるメディアアプリケーションにユーザ側管理ソフトを組み込むだけで、アプリケーションの販売に貢献したメディアアプリケーションを特定できることになり、広告表示に対応するアプリケーションにユーザ側管理ソフトを組み込む必要がなくなる。このため、メディアアプリケーションを利用した広告へのアプリケーションの掲載負担を軽減できる
【００１２】
請求項２に係る発明によれば、前記ユーザ情報端末が、前記ユーザ側管理ソフトに基づき、前記アプリケーションの広告表示の配信を要求する広告配信要求手段、該広告配信要求手段の要求に基づき配信を受けたアプリケーションの広告表示に、前記リンク先情報の他に、該ユーザ情報端末の情報、メディアアプリケーションの情報を設定する情報設定手段としても機能するように設定されていることから、ユーザ情報端末が管理サーバを経由してダウンロードサービスサイトにアクセスする際、管理サーバに第１情報を的確に渡すことができることは勿論、メディアアプリケーションの開発販売者の負担を軽減できる。
【００１３】
本発明（請求項３に係る発明）によれば、管理サーバが、メディアアプリケーションがユーザ情報端末に表示させる広告表示を選択することにより該広告表示に設定されるリンク先情報に基づきアクセスされたとき、その選択された広告表示に対応するアプリケーション情報、ユーザ情報端末にインストールされるメディアアプリケーションの情報及び該ユーザ情報端末の情報を取得して第１情報として保存する取得保存手段と、ユーザ情報端末から、新規にインストールされたインストールアプリケーションの情報と該ユーザ情報端末の情報とを第２情報として受領する受領手段と、取得保存手段が保存する第１情報と、受領手段が受領した第２情報とを比較照合して、該第１、第２情報に関連するメディアアプリケーションを特定するメディアアプリケーション特定手段と、を備えていることから、アプリケーションの販売に貢献したメディアアプリケーションを的確に特定することができる。
【００１４】
本発明（請求項４に係る発明）によれば、コンピュータを、メディアアプリケーションがインストールされるユーザ情報端末において、新規にインストールされたアプリケーションを検出する新規インストールアプリケーション検出手段、新規インストールアプリケーション検出手段の結果に基づき、新規インストールアプリケーションが存在すると判断したときには、該新規インストールアプリケーションの情報とユーザ情報端末の情報とを、管理サーバに送り出す関連情報送信手段、として機能させることから、メディアアプリケーションに広告されるアプリケーションにトラッキングソフト（プログラム）をそれぞれ組み込まなくても、当該プログラムをメディアアプリケーションに組み込むだけで、ネットワーク広告管理システムにおいて、トラッキング処理のための情報（第２情報）を的確に管理サーバに提供できる。これに伴い、メディアアプリケーションにおいてアプリケーションを広告しようとする広告主の負担を軽減できる。
【００１５】
請求項５に係る発明によれば、コンピュータによる新規インストールアプリケーション検出手段としての機能が、前記メディアアプリケーションがインストールされるユーザ情報端末において、該ユーザ情報端末にインストールされているインストールアプリケーションを検索するインストールアプリケーション検索手段、前記インストールアプリケーション検索手段の検索結果を順次、更新して、前記ユーザ情報端末にインストールされているアプリケーションのアプリケーションリストを作成するアプリケーションリスト作成手段、前記インストールアプリケーション検索手段の検索結果と、該インストールアプリケーション検索手段の検索直前における前記アプリケーションリストとを比較して、該アプリケーションリストに存在しなかったアプリケーションを新規インストールアプリケーションとして検出する新規インストールアプリケーション検索手段、としての機能を有し、前記関連情報送信手段としての機能が、前記新規インストールアプリケーション検索手段の結果に基づき、新規インストールアプリケーションが存在すると判断したときに、該新規インストールアプリケーションの情報と前記ユーザ情報端末の情報とを、前記管理サーバに送り出すように設定されていることから、前記請求項４の作用効果を具体的に実現できる。
【００１６】
請求項６に係る発明によれば、コンピュータを、前記メディアアプリケーションにおいて広告表示されるアプリケーションのＵＲＬスキームを前記管理サーバに要求するＵＲＬスキーム要求手段としても機能するように設定され、前記インストールアプリケーション検索手段としての機能が、前記ＵＲＬスキーム要求手段による要求に基づき入手したＵＲＬスキームを利用して、前記ユーザ情報端末にインストールされるインストールアプリケーションを検索するように設定されていることから、ユーザ情報端末におけるインストールアプリケーションを容易に検索でき、これに伴い、新規なインストールアプリケーションも容易に検索できる。
【００１７】
請求項７に係る発明によれば、インストールアプリケーション検索手段としての機能が、前記ユーザ情報端末に対して、該ユーザ情報端末にインストールされているインストールアプリケーションのリストを要求するように設定されていることから、基本ソフト（ＯＳ（Andoroid等））に基づくユーザ情報端末の機能により、この場合も、ユーザ情報端末におけるインストールアプリケーションを容易に検索でき、これに伴い、新規なインストールアプリケーションも容易に検索できる。
【００１８】
請求項８に係る発明によれば、コンピュータを、前記アプリケーションの広告表示を前記管理サーバに要求する広告配信要求手段、前記メディアアプリケーションが前記ユーザ情報端末に表示させるアプリケーションの広告表示に、前記管理サーバを経て前記ダウンロードサービスサイトにアクセスするためのリンク先情報、前記広告表示に対応するアプリケーションの情報、前記ユーザ情報端末にインストールされるメディアアプリケーションの情報及び該ユーザ情報端末の情報を設定する情報設定手段、としても機能させることから、当該プログラムにより、ネットワーク広告管理システムにおいて、トラッキング処理のための情報（第１情報）を的確に管理サーバに提供できる。
【図面の簡単な説明】
【００１９】
【図１】本発明の一実施形態としてのネットワーク広告配信管理システムの全体構成を示す図。
【図２】ユーザ端末の内部構造を説明する説明図。
【図３】ユーザ端末の表示画面に表示されるコンテンツ表示が広告アプリケーション掲載一覧表示に切り換えた状態を説明する図。
【図４】ユーザ端末内での新規インストールアプリケーションの検索と、新規インストールアプリケーションに関連する関連情報の広告管理サーバへの送信を説明する説明図。
【図５】ユーザ端末でのリワード広告の制御例を示すフローチャート。
【図６】図５の続きを示すフローチャート。
【図７】管理サーバにおける広告配信の制御例を示すフローチャート。
【図８】ユーザ端末が管理サーバを経由してアプリストアにアクセスするに際して、管理サーバがユーザ端末ＩＤ等（第１情報）の取得を行う制御例を示すフローチャート。
【図９】管理サーバが、ユーザ端末におけるアプリのダウンロード／インストール後に、トラッキング処理（照合等）を行う制御例を示すフローチャート。
【発明を実施するための形態】
【００２０】
以下、本発明の実施形態について、図面に基づいて説明する。
【００２１】
１．ネットワーク広告管理システムの概要
図１は、実施形態に係るネットワーク広告管理システムの全体構成を示す図である。この図１において、符号Ｕ１，Ｕ２，Ｕ３（代表符号Ｕ）は、ユーザ情報端末であるユーザ端末（多くのうちの一部）である。符号ＭＳは、広告管理会社が管理、運営する管理サーバであって、ユーザ端末Ｕ１，Ｕ２，Ｕ３に対する広告の配信等を管理するものである。符号ＡＳはユーザ端末Ｕ１，Ｕ２，Ｕ３において使用するアプリケーション（以下、アプリという）を販売するダウンロードサービスサイトとしてのアプリストアである。このユーザ端末Ｕ１，Ｕ２，Ｕ３、管理サーバＭＳ及びアプリストアＡＳは、インターネット等のネットワークを介して互いに通信可能となっており、ユーザは、アプリストアＡＳからユーザ端末Ｕ１，Ｕ２，Ｕ３にアプリをダウンロードし、そのアプリのコンテンツ（ゲーム等）を楽しむことができることになっている。
【００２２】
このユーザ端末Ｕ１，Ｕ２，Ｕ３にインストールされているアプリの中には、そのアプリの人気度を利用して、他のアプリの販売促進を行うべく、その他のアプリの掲載アプリ表示を表示してそれらに関しリワード広告を行うもの（以下、メディアアプリ（メディアアプリケーションの略称）という）がある。リワード広告とは、ユーザ端末Ｕ１，Ｕ２，Ｕ３が表示するメディアアプリの表示画面上において、アプリの掲載表示を閲覧し、その掲載アプリをアプリストアＡＳで購入した場合に、メディアアプリ（例えばゲームソフト）のアイテムやポイント等を付与する広告サービスであり、メディアアプリユーザ（例えばゲームソフトユーザ）は、そのリワード広告に動機づけられて掲載アプリを購入する傾向にある。このため、メディアアプリユーザは、掲載アプリを購入するときには、メディアアプリ中の掲載アプリ表示からアプリストアＡＳにアクセスし、そこから希望のアプリを自己のユーザ端末Ｕ１，Ｕ２，Ｕ３にダウンロードすることになる。
【００２３】
このため、このような場合に対応して、広告管理会社の管理サーバＭＳは、メディアアプリ側（ユーザ端末Ｕ１，Ｕ２，Ｕ３側）からの要求に対してメディアアプリ（ユーザ端末）にリワード広告一覧表示情報（アプリ掲載一覧情報等）を配信するばかりでなく（図１中、破線矢印参照）、種々のタイミングを捉えて、各種情報を取得し、それらを照合することにより、掲載アプリの販売に貢献したメディアアプリを特定する。これにより、メディアアプリの開発販売者に、掲載アプリ販売に対する貢献として成功報酬が支払われると共に、メディアアプリユーザの掲載アプリ購入行為に対してリワードを付与できるようにすべく、掲載アプリの購入対象者情報が提供される。
勿論、アプリ（メディアアプリ）内でリワード広告を行うに際しては、アプリをメディアアプリとしようとするアプリ開発販売者と、メディアアプリ内でリワード広告を行ってもらいたい掲載アプリの広告主と、広告管理会社との間で、広告等に関する契約が予め結ばれる。
【００２４】
２．ネットワーク広告管理システムの具体的内容
前記ユーザ端末Ｕ１，Ｕ２，Ｕ３は、本実施形態においては、例えばスマートフォン等のように、外部からアプリをダウンロードしてインストールできると共に、そのアプリのコンテンツを表示できるものを対象としている。このため、ユーザ端末Ｕ１，Ｕ２，Ｕ３は、図２に示すように、演算制御手段としてのＣＰＵ１，ネットワークへの通信手段２、各種制御を実行する際のデータを記憶しておくＲＡＭ３，ＣＰＵ１に基本動作を行わせるＯＳ４、メモリ５、入力手段６、ディスプレイ７等のコンピュータとしての各要素を備えている。
【００２５】
ユーザ端末Ｕ１，Ｕ２，Ｕ３には、図１に示すように、メディアアプリがインストールされている。ユーザ端末Ｕ１，Ｕ２，Ｕ３にインストールされるアプリは、基本的に、ユーザの購入行為に基づきアプリストアＡＳからダウンロードされることになるが、そのアプリにおいてリワード広告が行われるか否かは（メディアアプリになるか否かは）、そのアプリの開発販売者と、リワード広告として掲載してもらいたいアプリの広告主と、広告管理会社との契約の成立が条件となる。勿論この場合、メディアアプリは、各ユーザ端末Ｕ１，Ｕ２，Ｕ３において、同一アプリからなるものもあれば、異なるアプリからなるものもあり、その数も、各ユーザ端末Ｕ１，Ｕ２，Ｕ３において異なる。以下、理解を容易にするために、代表の一つのユーザ端末（代表符号Ｕ）に着目し、そのユーザ端末Ｕのメモリに一つのメディアアプリ８がインストールされているものとして説明する。
【００２６】
ユーザ端末Ｕにインストールされているメディアアプリ８は、通常のアプリ同様、そのアプリを起動することにより、コンテンツ（例えばゲーム等）を動作させてそのコンテンツを楽しむことができる他に（図３上段参照）、ユーザの切り換え操作により、リワード広告を行うべく、他のアプリを紹介するリワード広告一覧表示９を表示できることになっている（図３下段参照）。このため、このメディアアプリ８には、その開発販売者と広告管理会社との間の契約に基づき、そのメディアアプリの１つのプログラムとして、ユーザ側管理ソフト（通称、ＳＤＫ（Software Development Kit）：以下、ＳＤＫを用いる）が予め組み込まれており（図４参照）、そのＳＤＫは、上記内容を実現すべく、ユーザ端末Ｕ（ＣＰＵ１）に、上述のコンテンツ表示とリワード広告一覧表示９との切り換え機能（切り換え表示）、メディアアプリ８内でのリワード広告一覧表示９における各掲載アプリ表示の表示場所を決める機能、その各表示場所へ掲載アプリ表示として表示させるための掲載アプリ表示情報を管理サーバＭＳに要求する機能（広告配信要求手段としての機能）等を実行させる。
【００２７】
この場合、上記リワード広告一覧表示９における各掲載アプリ表示ａ，ｂ，ｃ（図３中、下段参照）には、管理サーバＭＳを経てアプリストアＡＳにアクセス（リダイレクト）するためのＵＲＬ（リンク先を含むコード）がそれぞれ埋め込まれている。その各ＵＲＬには、Query String（ＵＲＬ中の？マーク以降の欄）においてユーザ端末ＩＤ、メディアアプリＩＤ、その掲載アプリ表示の掲載アプリ情報等が、ＳＤＫに基づいてユーザ端末Ｕにより付与されることになっている（情報設定手段としての機能）。これにより、リダイレクトの際、そのユーザ端末ＩＤ、メディアアプリＩＤ、ユーザが選択した掲載アプリ情報等が管理サーバＭＳに取得されることになっている。勿論この他の手段を用いて、ユーザ端末ＩＤ、メディアアプリＩＤ、選択した掲載アプリ情報等が管理サーバＭＳに取得されるようにしてもよい。
【００２８】
さらに、ＳＤＫは、リワード広告一覧表示９に掲載される掲載アプリをメディアアプリ８を経由してアプリストアＡＳで購入した場合に、その掲載アプリの購入に貢献したメディアアプリ８を特定（トラッキング処理）するべく、リワード広告一覧表示情報と共にその各掲載アプリのＵＲＬスキームを管理サーバＭＳに要求する機能（ＵＲＬスキーム要求手段としての機能）、その各掲載アプリのＵＲＬスキームを利用して、ユーザ端末Ｕに新たに掲載アプリがインストールされたか否かを検索（判別）する機能（新規インストールアプリケーション検出手段、インストールアプリケーション検索手段、アプリケーションリスト作成手段、新規インストールアプリケーション検索手段としての機能：図４参照）、ユーザ端末Ｕに新たに掲載アプリがインストールされている場合に、その新たにインストールされた掲載アプリ情報およびユーザ端末ＩＤを管理サーバ８に送信する機能（関連情報送信手段としての機能：図１参照）をユーザ端末Ｕ（ＣＰＵ１）に実行させるように設定されている。
上記ユーザ端末Ｕに新たに掲載アプリがインストールされたか否かを検索させることに関しては、ＳＤＫは、図４に示すように、ユーザ端末Ｕに各掲載アプリのＵＲＬスキームをリクエストさせることにより、ユーザ端末Ｕにインストールされている掲載アプリを検索させ、その後、ユーザ端末Ｕに、その時点でのインストールされている掲載アプリ（インストールアプリ）と、その前に検索されたインストールアプリのアプリリストとの比較から、新しくインストールされたアプリが存在するか否かを判断させる。ここで、上記ＵＲＬスキームを利用した検索においては、ＳＤＫからユーザ端末内のＯＳに対して任意のＵＲＬを指定することによりそのＵＲＬにより表されるアプリケーションがユーザ端末Ｕによりインストールされているか否かが判別できるというＵＲＬスキームの特徴が利用される。
【００２９】
本実施形態においては、掲載アプリが新たにユーザ端末Ｕにインストールされたか否かを検索するために、上述のようにＵＲＬスキームを利用する場合（例えばＯＳがｉＯＳの場合）について説明したが、ＯＳ標準の機能として、インストール済みのアプリの一覧が取得可能の場合（例えばＯＳがAndroid）には、そのアプリ一覧を利用し、その時点のア
プリ一覧と、その前に取得したアプリ一覧との比較により、新しくアプリがインストールされたか否かをユーザ端末Ｕに判断させてもよい。このような処理をユーザ端末Ｕに行わせるＳＤＫは、広告管理会社により開発される。このリワード広告一覧表示９に掲載される掲載アプリの購入に貢献したメディアアプリ８を特定するためのトラッキング処理については、後に詳述する。
【００３０】
前記管理サーバＭＳは、図１に示すように、広告配信サーバＭＳ１と、広告管理サーバＭＳ２と、を備えている。これらは、勿論、コンピュータとしての各要素を備えている。広告配信サーバＭＳ１は、ユーザ端末Ｕ（ＳＤＫ）からの広告配信要求に対して、リワード広告一覧表示９情報、そのリワード広告一覧表示９に掲載される各掲載アプリ（表示ａ，ｂ，ｃ）のＵＲＬスキーム等を配信する機能を有している。広告管理サーバＭＳ２は、ユーザ端末Ｕがリワード広告一覧表示９における掲載アプリ表示ａ，ｂ，ｃを経由してアプリストアＡＳにアクセスする際、ユーザ端末ＩＤ、メディアアプリＩＤ、掲載アプリ情報を取得保存する機能（取得保存手段としての機能）、ユーザがアプリストアＡＳで掲載アプリの購入に至った場合（ユーザ端末Ｕへのインストール後）には、その際、送信されるユーザ端末ＩＤ、新たにインストールされたアプリ情報を取得する機能（受領手段としての機能）、それら情報を比較照合することに基づき、掲載アプリの購入に貢献したメディアアプリ８を特定する機能（メディアアプリケーション特定手段としての機能）等を有している。これにより、成功報酬の支払い対象となるメディアアプリ８、リワード広告に基づくリワードを付与するユーザが特定されることになる。
【００３１】
前記アプリストアＡＳは、既知の如く、ユーザ端末Ｕにおいて使用できる種々のアプリを多数保有している。アプリストアＡＳは、その中のアプリに対してユーザ端末Ｕから購入意思操作が行われたとき（カード決済）、その購入されたアプリをユーザ端末Ｕに送る機能（ダウンロード機能）を有している。このアプリストアＡＳが保有するアプリのうち、ユーザ端末Ｕに表示されるリワード広告一覧に掲載される掲載アプリに関しては、掲載アプリの広告主と広告管理会社との契約に基づき、ＵＲＬスキームがそれぞれ設定されている。なお、広告主が任意に既にＵＲＬスキームを掲載アプリに設定していた場合は、それを利用することができる。
【００３２】
このようなネットワーク広告管理システムにおいては、ユーザ端末Ｕにメディアアプリ８がインストールされている場合には、その起動中において、リワード広告一覧表示を閲覧することができ、そのリワード広告一覧表示における掲載アプリ表示をタッチ（選択）したときには、その掲載アプリ表示に埋め込まれているリンク先情報に基づき、ユーザ端末Ｕは、管理サーバＭＳ（広告管理サーバＭＳ２）を介してアプリストアＡＳにアクセスする（リダイレクト）。この管理サーバＭＳを経由する際に、ユーザ端末ＩＤ、メディアアプリＩＤ、選択した掲載アプリ情報等が広告管理サーバＭＳ２に取得され、それらは第１情報として保存される。
この後、アプリストアＡＳで、選択した掲載アプリを購入し、それを自己のユーザ端末Ｕにダウンロード／インストールすると、ＳＤＫの働きに基づき、ユーザ端末Ｕは、ＵＲＬスキームを利用してインストールされているアプリを検索し、そのインストールアプリ情報と、これまで順次、更新してきたインストールアプリのアプリリスト情報との比較により、新たにインストールされたアプリが存在するか、また、存在するとすれば、どのようなアプリかを検出する。そして、ユーザ端末Ｕは、新たにインストールされたアプリが存在すると判断した場合には、その新たにインストールされたアプリ情報およびユーザ端末ＩＤを広告管理サーバＭＳ２に第２情報として送信する。
【００３３】
広告管理サーバＭＳ２は、ユーザ端末Ｕから、第２情報（新たにインストールされたアプリ情報およびユーザ端末ＩＤ）を受けとると、その第２情報と、前述の管理サーバＭＳを経由する際に取得、保存される第１情報（ユーザ端末ＩＤ、メディアアプリＩＤ、選択した掲載アプリ情報等）とが照合され、リワード広告一覧に掲載される掲載アプリの購入に貢献したメディアアプリが特定される。これにより、メディアアプリの開発販売者に、アプリ販売に対する貢献として成功報酬が支払われると共に、メディアアプリユーザのアプリ購入行為に対してリワードを付与できるようにすべく、掲載アプリの購入対象者情報（ユーザ情報）が提供される。
【００３４】
したがって、このようなネットワーク広告管理システムにおいては、メディアアプリ８にだけＳＤＫを組み込むだけで、上述のように、掲載アプリの販売に貢献したメディアアプリを特定できることになり、メディアアプリ８に掲載する各掲載アプリ（アプリストアＡＳに存在するもの）にトラッキングソフト（購入アプリの最初の起動時に、ユーザ端末Ｕからユーザ端末ＩＤを管理サーバＭＳ送信させるようなもの）を組み込む必要がなくなる。このため、メディアアプリを利用したリワード広告への掲載アプリの掲載負担を著しく軽減でき、アプリのメディアアプリ８への掲載（広告）が促進されることになる。
この場合、メディアアプリ８にＳＤＫが組み込まれることになるが、そのＳＤＫは、広告管理会社が開発するものであり、この点に関して、アプリをメディアアプリにしようとする開発販売者には負担とならない。また、メディアアプリの開発販売者は、広告配信だけを行わせる従前のＳＤＫの組み込み作業と同じ作業を行えばよく、組み込み作業負担が増大することはない。
【００３５】
３．ネットワーク広告管理システムの具体的制御例
次に、上記実施形態に係るシステムの動作を、図５〜図９に示すフローチャートに基づいて具体的に説明する。尚、図５、図６におけるＳ、図７におけるＱ、図８におけるＲ、図９におけるＴは、それぞれステップを示す。また、ユーザ端末Ｕには、メディアアプリ８がインストールされ、そのメディアアプリ８は、通常のコンテンツを表示するアプリ（例えばゲームソフト等）であって、そのメディアアプリ８内に、多数のアプリの広告を目的としたリワード広告一覧情報等の広告配信等を行うためのＳＤＫが組み込まれているものとする。
【００３６】
先ず、ユーザがユーザ端末Ｕのメディアアプリ８を起動又はアクティブ化すると、そのメディアアプリ８に組み込まれているＳＤＫが読み込まれる（Ｓ１，Ｓ２）。この後、ユーザが、ディスプレイ７上におけるメディアアプリ８のコンテンツ表示（例えばゲーム表示）において、リワード広告一覧の選択表示（図示略）を選択したときには、図３に示すように、コンテンツ表示からリワード広告一覧表示９に切り替わる。次のＳ４においては、初回のフラグＦ＝０を設定する必要があるか否かを判別すべく、そのリワード広告一覧表示９が初回か否かが判別される。最初は、リワード広告一覧表示９は初回であるから、Ｓ４がＹＥＳと判断され、Ｓ５において、フラグＦがＦ＝０と設定される。このフラグＦは、アプリのダウロード／インストール終了後、トラッキング処理（リワード広告一覧表示９に掲載の掲載アプリ購入に貢献した経由メディアアプリ８の照合処理）が終了しているか否かを判定するもので、Ｆ＝１のときは、掲載アプリのダウロード／インストール終了後、トラッキング処理が終了していない状態を示し、Ｆ＝０のときは、掲載アプリのダウロード／インストールがなされていない状態、或いは掲載アプリのダウロード／インストール終了後、トラッキング処理が終了している状態を示す。一番最初においては、トラッキング処理をする必要がないことから、Ｓ５に示すように、Ｆ＝０とされて、掲載アプリのダウロード／インストールがなされていない状態と設定される。
【００３７】
次のＳ６においては、ユーザ端末Ｕは、リワード広告一覧表示情報、そのリワード広告一覧表示９に示される各掲載アプリのＵＲＬスキーム情報を要求する。このユーザ端末Ｕから管理サーバＭＳ（広告管理サーバＭＳ２）への要求がなされると、管理サーバＭＳは、その要求に応じて、リワード広告一覧表示情報等をユーザ端末Ｕに配信することになり、ユーザ端末Ｕは、Ｓ７において、そのリワード広告一覧表示情報等を取得する。
この場合、管理サーバＭＳ（広告配信サーバＭＳ１）は、図７に示すように、Ｑ１において、常時、リワード広告一覧表示情報等の要求を受領したか否か判別しており、そのＱ１の判別がＹＥＳのときには、リワード広告一覧表示情報等をユーザ端末Ｕに配信するように設定されている（図１破線参照）。
【００３８】
Ｓ７において、リワード広告一覧表示情報等をユーザ端末Ｕが取得すると、Ｓ８において、フラグＦがＦ＝１か否かが判別される。一番最初は、前述のＳ５においてＦ＝０と設定されることから、Ｓ８の判別がＮＯと判定され、次のＳ９において、ユーザ端末Ｕにおけるメモリに記憶されるアプリのアプリリストを新規に作成する必要があるか否かを判別すべく、リワード広告の一覧表示が初回か否かが判別される。一番最初は、リワード広告の一覧表示が初回であるから、Ｓ９がＹＥＳと判定されて、Ｓ１０において、ユーザ端末Ｕにおけるメモリにインストールされているアプリとして、どのようなものがあるかをチェックする。
本実施形態においては、このチェックのためにＵＲＬスキームが利用される。具体的には、ユーザ端末ＵにおけるＳＤＫが、ユーザ端末Ｕに前記Ｓ７において取得した各掲載アプリのＵＲＬスキームをリクエストさせ、各掲載アプリのインストールの有無が判別される。ユーザ端末Ｕにおけるメモリにインストールされているアプリをチェックする方法としては、この他に、ＯＳの標準機能として、インストール済みのアプリの一覧が取得可能な場合（例えばAndroid）には、それを利用してもよい。
【００３９】
Ｓ１０において、ユーザ端末Ｕのメモリにインストールされているアプリとしてどのようなものがあるかが判定されると、Ｓ１１において、アプリリストが新規に作成され、Ｓ１２において、その内容がメモリ記憶され、次のＳ１３に進む。
【００４０】
Ｓ１３においては、前記Ｓ７において取得したリワード広告一覧表示９情報中に、前記Ｓ１１で作成したアプリリストに示すアプリがあるか否かが判別される。このＳ１３がＹＥＳのときには、図３下段に示すように、Ｓ１４において、ユーザ端末Ｕの表示画面にリワード広告一覧が表示されると共に、既にユーザ端末Ｕにインストールされているアプリ
の掲載アプリ表示（図３では掲載アプリ表示ｃ）については、注意書き「インストール済」が表示され、次のＳ１５に進む。この場合、既にユーザ端末Ｕにインストールされているアプリの掲載アプリ表示に関しては、別の態様として、Ｓ１４において、その掲載アプリ表示ｃ自体を表示しないようにしてもよい。
一方、Ｓ１３がＮＯのときには、リワード広告一覧表示情報の掲載アプリの中には、ユーザ端末Ｕに既にインストールされているものがないことから、Ｓ１６において、注意書き「インストール済み」の表示を表示することなくリワード広告一覧表示９が表示され、その後、次のＳ１５に進む。
【００４１】
Ｓ１５においては、リワード広告一覧表示９から掲載アプリ表示が選択されたか否かが判別される。Ｓ１５がＮＯのときには、リターンされる一方、Ｓ１５がＹＥＳのときには、Ｓ１７において、メディアアプリ８が終了又はバックグラウンド化し、次のＳ１８において、アプリストアＡＳにアクセスされてその購入画面表示が表示される。
この場合、管理サーバＭＳ（広告管理サーバＭＳ２）においては、図８に示すように、Ｒ１において、ユーザ端末ＵからアプリストアＡＳにアクセスする際に、リダイレクトされること（途中、管理サーバＭＳにアクセスすること）を常時、判別しており、Ｒ１がＹＥＳのときには、管理サーバＭＳは、Ｒ２において、当該ユーザ端末Ｕのユーザ端末ＩＤ，メディアアプリＩＤ，選択した掲載アプリ情報を取得し、この後、Ｒ３において、それを、管理サーバＭＳ内の記憶手段に（図示略）に第１情報として保存する。
【００４２】
Ｓ１８において、アプリストアＡＳの購入画面表示が表示されると、この後、Ｓ１９において、Ｓ１５で選択したアプリの購入手続を経て、その掲載アプリのダウンロード、ユーザ端末Ｕへのインストール処理が行われる。このＳ１９の処理が終えると、Ｓ２０において、メディアアプリ８が起動又はアクチィブ化され、Ｓ２１において、フラグＦがＦ＝１、すなわち、アプリのダウロード／インストール終了後であって、トラッキング処理が終了していない状態であると設定され、リターンされる。
【００４３】
上記によりリターンされ、再び、Ｓ１〜Ｓ３を経てＳ４に至ると、そのＳ４において、リワード広告一覧表示９は、初回か否かが判別され、今回は、初回でないことから、Ｆ＝１を維持しつつ、Ｓ５を迂回して、直接、Ｓ６に進む。そしてこの後、Ｓ７を経てＳ８に至り、そのＳ８において、Ｆ＝１か否かが判別される。このときには、Ｆ＝１が維持された状態にあることから、Ｓ８がＹＥＳと判定され、Ｓ２２において、ユーザ端末Ｕにおけるメモリにインストールされているアプリとしてどのようなものがあるかがチェックされる。次のＳ２３において、Ｓ２２においてチェックしたインストールアプリとＳ１２におけるアプリリスト中のアプリとが比較され、新しくインストールされた掲載アプリが存在するか否かが判別される。
【００４４】
Ｓ２３がＹＥＳのときには、ＳＤＫが、ユーザ端末Ｕに、そのユーザ端末ＩＤ、新しくインストールされた掲載アプリ情報を管理サーバＭＳ（広告管理サーバＭＳ２）に送信させる。
このとき、管理サーバＭＳにおいては、図９に示すように、Ｔ１で、前記Ｓ２４におけるユーザ端末ＩＤ及び掲載アプリ情報を受信したか否かを、常時、判別しており、Ｔ１がＹＥＳのときには、Ｔ２において、その受信したＳ２４における第２情報（ユーザ端末ＩＤ及び掲載アプリ情報）と、前記Ｒ３（図８参照）において保存した第１情報（リダイレクトに伴い取得したＲ２におけるユーザ端末ＩＤ、メディアアプリＩＤ及び選択した掲載アプリ情報）とを照合する。そして、次のＴ３において、ユーザ端末ＩＤ及び掲載アプリ情報に関して一致するものがあるかが判別され、Ｔ３がＹＥＳのときは、ユーザ端末ＩＤ及び掲載アプリ情報が一致する場合であることから、その一致情報に付随するメディアアプリＩＤから、そのメディアアプリ８が掲載アプリの販売に貢献したメディアアプリ８として特定され、その情報が、成功報酬の支払い及びリワード広告に基づくリワードの付与（コンテンツのアイテムや、ポイントの付与）のために保存される。一方、Ｔ１において、ユーザ端末ＩＤ等を受信しない場合、Ｔ３において、ユーザ端末ＩＤ及び掲載アプリ情報に関して一致するものがないと判定された場合には、リターンされる。
【００４５】
Ｓ２４において、ユーザ端末ＵのＳＤＫが、そのユーザ端末Ｕに、そのユーザ端末ＩＤ、新たにユーザ端末Ｕにインストールされた掲載アプリ情報を管理サーバＭＳ（広告管理サーバＭＳ）に送信させると、Ｓ２２において検索したアプリがインストールされている最新の掲載アプリであるとして、アプリリストが更新され、それは記憶手段に記憶され、次のＳ２６に進む。
一方、Ｓ２３がＮＯのときには、管理サーバＭＳにユーザ端末ＩＤ等を送信することなく、Ｓ２６に直接、進む。
【００４６】
Ｓ２２〜Ｓ２５の処理を経ることにより、アプリのダウロード／インストール終了後におけるトラッキング処理が終了したことになり、Ｓ２６においては、Ｆ＝０と設定され、前記Ｓ１３に進む。
【００４７】
前記Ｓ９の判別がＮＯのときには、アプリのダウンロードをしていないとき（例えばＳ１５がＮＯのとき）又はアプリのダウロード／インストール終了後であってトラッキング処理が終了し、しかも、リワード広告一覧表示９が２回目以降のときであり、そのときには、Ｓ２７において、ユーザ端末Ｕのメモリにインストールされているアプリがチェックされ、そのチェックにより検出されたアプリが、前記Ｓ１３において、リワード広告一覧表示情報中に存在するか否かが判別される。
【００４８】
尚、本発明の目的は、明記されたものに限らず、実質的に好ましい或いは利点として記載されたものに対応したものを提供することをも含むものである。
【符号の説明】
【００４９】
Ｕ  ユーザ端末
ＭＳ  管理サーバ
ＭＳ２  広告管理サーバ
ＡＳ  アプリストア
１  ＣＰＵ
８  メディアアプリ
９  リワード広告一覧表示
【手続補正書】
【提出日】平成24年7月13日(2012.7.13)
【手続補正１】
【補正対象書類名】明細書
【補正対象項目名】全文
【補正方法】変更
【補正の内容】
【発明の詳細な説明】
【技術分野】
【０００１】
本発明は、ネットワーク広告管理システム及びネットワーク広告管理システム用プログラムに関する。
【背景技術】
【０００２】
近時、スマートフォン等のユーザ情報端末が普及しており、そのユーザ情報端末においては、アプリケーションをインストールした上で、そのアプリケーションをユーザ情報端末上で起動してそのアプリケーションのコンテンツを楽しむことが行われている（特許文献１参照）。このようなアプリケーションは、ダウンロードサービスサイト（例えばAppStore、Androidマーケット等）に登録、集積されており、そこから、ユーザが自己の好むアプリケーションを自己のユーザ情報端末にダウンロードすることになる。
【０００３】
上記コンテンツを提供するアプリケーションを他のアプリケーションの広告に用いることが行われ始めている（以下、他のアプリケーションの広告のために用いられるアプリケーションをメディアアプリケーションという）。このメディアアプリケーションを用いた他のアプリケーションの広告は、メディアアプリケーションの起動中に、そのコンテンツ表示画面中或いは選択操作に基づいて開く別画面上にアプリケーション一覧表示を掲載することにより行われる。そして、そのアプリケーション一覧表示を見たメディアアプリケーションユーザ（以下、ユーザという）が、そのアプリケーション一覧表示中の気に入った掲載アプリケーション表示を選択した場合には、ユーザのユーザ情報端末がその掲載アプリケーション表示（ダウンロードサービスサイトへのリンク情報を埋設）を通じて前記ダウンロードサービスサイトにアクセスし、そのダウンロードサービスサイトにおいて、その気に入った掲載アプリケーションを購入（ダウンロード、インストール）することになる。このようにメディアアプリケーションを経由してそのメディアアプリケーションに掲載されている掲載アプリケーションをダウンロードサービスサイトで購入したときには、そのメディアアプリケーションによる貢献に対して、そのメディアアプリケーションを開発販売した開発販売者に成功報酬が支払われる。
特に、メディアアプリケーションにおいては、他のアプリケーションの広告を行うに際して、リワード広告が採用される傾向にある。リワード広告は、メディアアプリケーションのコンテンツを楽しむユーザが、そのメディアアプリケーションに掲載されている掲載アプリケーションを、そのメディアアプリケーションを経由してダウンロードサービスサイトで購入した場合に、そのメディアアプリケーションにおけるコンテンツのアイテムや、ポイントを付与しようとする広告サービスであり、このリワード広告により、ユーザに対して、メディアアプリケーションに掲載される掲載アプリケーションの購入の動機付けがなされ、掲載アプリケーションの販売促進が図られる。
【０００４】
ところで、メディアアプリケーションを利用した他のアプリケーションの広告においては、どのメディアアプリケーションを経由してメディアアプリケーションの掲載アプリケーションがダウンロードサービスサイトから購入されたかを把握するために（成功報酬の支払い等のために）、ユーザの行動を記録・追跡するトラッキング処理が行われている。
具体的には、メディアアプリケーションにおける掲載アプリケーション表示からダウンロードサービスサイトにアクセスする際に、掲載アプリケーション情報を配信する広告管理会社が運営する管理サーバに経由することになり、その際に、ユーザ情報端末ＩＤと、当該メディアアプリケーション情報と、選択した掲載アプリケーション情報とが、管理サーバに収集される。そしてこの後、ダウンロードサービスサイトにおける掲載アプリケーションの購入手続を経て、それをユーザ情報端末にダウンロード（インストールまでを含む）し、最初にその購入した掲載アプリケーションを起動したときには、そのユーザ情報端末ＩＤが前記広告管理サーバに送信される。この最初の起動時に送信されるユーザ情報端末ＩＤと、メディアアプリケーションにおける掲載アプリケーション掲載表示からダウンロードサービスサイトにアクセスする際に管理サーバに収集されたユーザ情報端末ＩＤとを比較照合することにより、掲載アプリケーションの購入のために貢献したメディアアプリケーション（開発販売者）が特定される。これにより、掲載アプリケーションの購入のために貢献したメディアアプリケーションの開発販売者に的確に成功報酬が支払われると共に、リワード広告に基づくリワードがメディアアプリケーションユーザに付与されることになり、メディアアプリケーションを利用したリワード広告が促進される。
【先行技術文献】
【特許文献】
【０００５】
【特許文献１】特開２０１１−１７５６１１号公報
【発明の概要】
【発明が解決しようとする課題】
【０００６】
しかし、上記ネットワーク広告管理システム（トラッキングシステム）においては、ダウンロードサービスサイトからダウンロードを行う各掲載アプリケーションに、上述のように、最初の起動時にユーザ情報端末ＩＤ等を管理サーバに送信するようにすべく、トラッキングソフト（トラッキング用ＳＤＫ（Software Developement Kit）をそれぞれ組み込む必要があり、各掲載アプリケーションの広告主は、トラッキングソフトを組み込むための作業負担（費用）が強いられることになっている。
また、ダウンロードサービスサイトにおいては、審査（プログラムの適正審査）を経て合格したアプリケーションだけが登録・集積されることになっており、その審査には、１週間から最大１ヶ月間を要する。しかも、その審査はアップデートの度に行われる。このため、メディアアプリケーションを利用した広告にアプリケーションを掲載しようとする広告主にとっては、掲載すべきアプリケーションに対するトラッキングソフトの組み込み作業は極力避けたい状況にある。このため、メディアアプリケーションを利用した広告として、メディアアプリケーションにアプリケーションを掲載することは未だ敷居が高い。
【０００７】
本発明は、上記問題点に鑑みてなされたものであり、その第１の技術的課題は、メディアアプリケーションを利用した広告へのアプリケーションの掲載負担を軽減できるネットワーク広告管理システムを提供することにある。
第２の技術的課題は、上記ネットワーク広告管理システムに用いられるネットワーク広告管理システム用プログラムを提供することにある。
【課題を解決するための手段】
【０００８】
上述の第１の技術的課題を解決するために本発明（請求項１に係る発明）においては、
多数のアプリケーションを保有して該アプリケーションのダウロードサービスを行うダウンロードサービスサイトと、該ダウンロードサービスサイトからアプリケーションをダウンロードするダウンロード手段を有すると共に、コンテンツ及びアプリケーションの広告表示を表示させるメディアアプリケーションがインストールされているユーザ情報端末と、前記ユーザ情報端末のメディアアプリケーションに対して前記ダウンロードサービスサイトに保有されるアプリケーションの広告表示を配信すると共に、前記ダウンロードサービスサイトに対して別個独立した存在であってアプリケーションの購入に貢献したメディアアプリケーションを特定するための情報が該ダウンロードサービスサイトから提供されることのない管理サーバとが、ネットワークを介して連なるネットワーク広告管理システムであって、
前記ユーザ情報端末は、
前記メディアアプリケーションに対応付けられた広告表示が選択されたとき、該選択された広告表示の情報と該選択された広告表示と対応関係にあるメディアアプリケーションの情報と該ユーザ情報端末の情報とを第１情報として、前記管理サーバを経由して前記ダウンロードサービスサイトへ送信する第１情報送信手段と、
新規にインストールされたアプリケーションを検出する新規インストールアプリケーション検出手段と、
前記新規インストールアプリケーション検出手段が新規なインストールアプリケーションの存在を判定したときに、前記管理サーバにその新規なインストールアプリケーションの情報と前記ユーザ情報端末の情報とを第２情報として送信する第２情報送信手段と、
を有し、
前記管理サーバは、
前記第１情報および前記第２情報を受信する受信手段と、
前受信手段によって受信した前記第１情報を記憶しておく記憶手段と、
前記受信手段によって前記第２情報を受信したときに、該第２情報と前記記憶手段に記憶されている前記第１情報とを比較照合して、アプリケーションの購入に貢献したメディアアプリケーションを特定するメディアアプリケーション特定手段と、
を有し、
前記新規インストールアプリケーション検出手段の機能実行と前記第２情報送信手段の機能実行とが、前記ユーザ情報端末にインストールされている前記メディアアプリケーションに組み込まれたユーザ側管理ソフトに基づいて行われ、
前記第１情報の前記管理サーバを経由した前記ダウンロードサービスサイトへの送信が、前記広告表示に設定されたリンク先情報に基づいて行われる、
ような構成としてある。この請求項１の好ましい態様としては、請求項２に記載の通りである。
【０００９】
【００１０】
上述の第２の技術的課題を解決するために本発明（請求項３に係る発明）においては、
多数のアプリケーションを保有して該アプリケーションのダウロードサービスを行うダウンロードサービスサイトと、該ダウンロードサービスサイトからアプリケーションをダウンロードするダウンロード手段を有すると共に、コンテンツ及び広告表示を表示させることが可能なメディアアプリケーションがインストールされているユーザ情報端末と、前記ユーザ情報端末のメディアアプリケーションに対して前記ダウンロードサービスサイトに保有されるアプリケーションの広告表示を配信すると共に、前記ダウンロードサービスサイトに対して別個独立した存在であってアプリケーションの購入に貢献したメディアアプリケーションを特定するための情報が該ダウンロードサービスサイトから提供されることのない管理サーバとが、ネットワークを介して連なるネットワーク広告管理システムの下で、前記メディアアプリケーションに組み込まれるユーザ側管理ソフトとされるネットワーク広告管理システム用プログラムであって、
前記メディアアプリケーションがインストールされている前記ユーザ情報端末のコンピュータに、
新規にインストールされたアプリケーションを検出させる新規インストールアプリケーション検出処理と、
新規インストールアプリケーションの検出処理の処理結果に基づき、新規インストールアプリケーションが存在すると判断したときには、該新規インストールアプリケーションの情報と前記ユーザ情報端末の情報とを、前記管理サーバに送り出す関連情報送信処理と、
を実行させる、
ようにしてある。この請求項４の好ましい態様としては、請求項４以下に記載の通りである。
【発明の効果】
【００１１】
本発明（請求項１に係る発明）によれば、広告表示を閲覧させるメディアアプリケーションにユーザ側管理ソフトを組み込むだけで、アプリケーションの販売に貢献したメディアアプリケーションを特定できることになり、広告表示に対応するアプリケーションにユーザ側管理ソフトを組み込む必要がなくなる。このため、メディアアプリケーションを利用した広告へのアプリケーションの掲載負担を軽減できる。
【００１２】
請求項２に係る発明によれば、
前記ユーザ情報端末が、
前記アプリケーションの広告表示の配信を要求する広告配信要求手段と、
前記広告配信要求手段の要求に基づき配信を受けたアプリケーションの広告表示に、前記リンク先情報の他に、該ユーザ情報端末の情報、メディアアプリケーションの情報を設定する情報設定手段と
をさらに備え、
前記広告配信要求手段の機能実行と前記情報設定手段の機能実行とが、前記ユーザ情報端末にインストールされている前記メディアアプリケーションに組み込まれた前記ユーザ側管理ソフトに基づいて行われる、
ようにされていることから、ユーザ情報端末が管理サーバを経由してダウンロードサービスサイトにアクセスする際、管理サーバに第１情報を的確に渡すことができることは勿論、メディアアプリケーションの開発販売者の負担を軽減できる。
【００１３】
【００１４】
本発明（請求項３に係る発明）によれば、メディアアプリケーションに広告されるアプリケーションにトラッキングソフト（プログラム）をそれぞれ組み込まなくても、当該プログラムをメディアアプリケーションに組み込むだけで、ネットワーク広告管理システムにおいて、トラッキング処理のための情報（第２情報）を的確に管理サーバに提供できる。これに伴い、メディアアプリケーションにおいてアプリケーションを広告しようとする広告主の負担を軽減できる。
【００１５】
請求項４に係る発明によれば、
前記新規インストールアプリケーションの検出処理が、
前記ユーザ情報端末にインストールされているインストールアプリケーションを検索する検索処理と、
前記検索処理の結果を順次、更新して、前記ユーザ情報端末にインストールされているアプリケーションのアプリケーションリストを作成するアプリケーションリスト作成処理と、
前記検索処理の結果と、該検索処理の直前における前記アプリケーションリストとを比較して、該アプリケーションリストに存在しなかったアプリケーションを新規インストールアプリケーションとして検出する新規インストールアプリケーション検索処理と、
を行い、
前記関連情報送信処理が、前記新規インストールアプリケーション検索処理の結果に基づき、新規インストールアプリケーションが存在すると判断したときに、該新規インストールアプリケーションの情報と前記ユーザ情報端末の情報とを、前記管理サーバに送り出す処理を行う、
ようにされていることから、前記請求項３の作用効果を具体的に実現できる。
【００１６】
請求項５に係る発明によれば、
前記ユーザ情報端末のコンピュータに、
前記メディアアプリケーションにおいて広告表示されるアプリケーションのＵＲＬスキームを前記管理サーバに要求するＵＲＬスキーム要求処理を実行させ、
前記インストールアプリケーション検索処理が、前記ＵＲＬスキーム要求処理による要求に基づき入手したＵＲＬスキームを利用して、前記ユーザ情報端末にインストールされているインストールアプリケーションの検索処理を行なう、
ことから、ユーザ情報端末におけるインストールアプリケーションを容易に検索でき、これに伴い、新規なインストールアプリケーションも容易に検索できる。
【００１７】
請求項６に係る発明によれば、 前記インストールアプリケーション検索処理が、前記ユーザ情報端末に対して、該ユーザ情報端末にインストールされているインストールアプリケーションのリストを要求することにより行われる、ことから、基本ソフト（ＯＳ（Andoroid等））に基づくユーザ情報端末の機能により、この場合も、ユーザ情報端末におけるインストールアプリケーションを容易に検索でき、これに伴い、新規なインストールアプリケーションも容易に検索できる。
【００１８】
請求項７に係る発明によれば、
前記ユーザ情報端末のコンピュータに、
前記アプリケーションの広告表示を前記管理サーバに要求する広告配信要求処理と、
前記メディアアプリケーションが前記ユーザ情報端末に表示させるアプリケーションの広告表示に、前記管理サーバを経て前記ダウンロードサービスサイトにアクセスするためのリンク先情報、前記広告表示に対応するアプリケーションの情報、前記ユーザ情報端末にインストールされていて該広告表示に対応したメディアアプリケーションの情報及び該ユーザ情報端末の情報を設定する情報設定処理と、
を実行させる、
ことから、当該プログラムにより、ネットワーク広告管理システムにおいて、トラッキング処理のための情報（第１情報）を的確に管理サーバに提供できる。
【図面の簡単な説明】
【００１９】
【図１】本発明の一実施形態としてのネットワーク広告配信管理システムの全体構成を示す図。
【図２】ユーザ端末の内部構造を説明する説明図。
【図３】ユーザ端末の表示画面に表示されるコンテンツ表示が広告アプリケーション掲載一覧表示に切り換えた状態を説明する図。
【図４】ユーザ端末内での新規インストールアプリケーションの検索と、新規インストールアプリケーションに関連する関連情報の広告管理サーバへの送信を説明する説明図。
【図５】ユーザ端末でのリワード広告の制御例を示すフローチャート。
【図６】図５の続きを示すフローチャート。
【図７】管理サーバにおける広告配信の制御例を示すフローチャート。
【図８】ユーザ端末が管理サーバを経由してアプリストアにアクセスするに際して、管理サーバがユーザ端末ＩＤ等（第１情報）の取得を行う制御例を示すフローチャート。
【図９】管理サーバが、ユーザ端末におけるアプリのダウンロード／インストール後に、トラッキング処理（照合等）を行う制御例を示すフローチャート。
【発明を実施するための形態】
【００２０】
以下、本発明の実施形態について、図面に基づいて説明する。
【００２１】
１．ネットワーク広告管理システムの概要
図１は、実施形態に係るネットワーク広告管理システムの全体構成を示す図である。この図１において、符号Ｕ１，Ｕ２，Ｕ３（代表符号Ｕ）は、ユーザ情報端末であるユーザ端末（多くのうちの一部）である。符号ＭＳは、広告管理会社が管理、運営する管理サーバであって、ユーザ端末Ｕ１，Ｕ２，Ｕ３に対する広告の配信等を管理するものである。符号ＡＳはユーザ端末Ｕ１，Ｕ２，Ｕ３において使用するアプリケーション（以下、アプリという）を販売するダウンロードサービスサイトとしてのアプリストアである。このユーザ端末Ｕ１，Ｕ２，Ｕ３、管理サーバＭＳ及びアプリストアＡＳは、インターネット等のネットワークを介して互いに通信可能となっており、ユーザは、アプリストアＡＳからユーザ端末Ｕ１，Ｕ２，Ｕ３にアプリをダウンロードし、そのアプリのコンテンツ（ゲーム等）を楽しむことができることになっている。
【００２２】
このユーザ端末Ｕ１，Ｕ２，Ｕ３にインストールされているアプリの中には、そのアプリの人気度を利用して、他のアプリの販売促進を行うべく、その他のアプリの掲載アプリ表示を表示してそれらに関しリワード広告を行うもの（以下、メディアアプリ（メディアアプリケーションの略称）という）がある。リワード広告とは、ユーザ端末Ｕ１，Ｕ２，Ｕ３が表示するメディアアプリの表示画面上において、アプリの掲載表示を閲覧し、その掲載アプリをアプリストアＡＳで購入した場合に、メディアアプリ（例えばゲームソフト）のアイテムやポイント等を付与する広告サービスであり、メディアアプリユーザ（例えばゲームソフトユーザ）は、そのリワード広告に動機づけられて掲載アプリを購入する傾向にある。このため、メディアアプリユーザは、掲載アプリを購入するときには、メディアアプリ中の掲載アプリ表示からアプリストアＡＳにアクセスし、そこから希望のアプリを自己のユーザ端末Ｕ１，Ｕ２，Ｕ３にダウンロードすることになる。
【００２３】
このため、このような場合に対応して、広告管理会社の管理サーバＭＳは、メディアアプリ側（ユーザ端末Ｕ１，Ｕ２，Ｕ３側）からの要求に対してメディアアプリ（ユーザ端末）にリワード広告一覧表示情報（アプリ掲載一覧情報等）を配信するばかりでなく（図１中、破線矢印参照）、種々のタイミングを捉えて、各種情報を取得し、それらを照合することにより、掲載アプリの販売に貢献したメディアアプリを特定する。これにより、メディアアプリの開発販売者に、掲載アプリ販売に対する貢献として成功報酬が支払われると共に、メディアアプリユーザの掲載アプリ購入行為に対してリワードを付与できるようにすべく、掲載アプリの購入対象者情報が提供される。
勿論、アプリ（メディアアプリ）内でリワード広告を行うに際しては、アプリをメディアアプリとしようとするアプリ開発販売者と、メディアアプリ内でリワード広告を行ってもらいたい掲載アプリの広告主と、広告管理会社との間で、広告等に関する契約が予め結ばれる。
【００２４】
２．ネットワーク広告管理システムの具体的内容
前記ユーザ端末Ｕ１，Ｕ２，Ｕ３は、本実施形態においては、例えばスマートフォン等のように、外部からアプリをダウンロードしてインストールできると共に、そのアプリのコンテンツを表示できるものを対象としている。このため、ユーザ端末Ｕ１，Ｕ２，Ｕ３は、図２に示すように、演算制御手段としてのＣＰＵ１，ネットワークへの通信手段２、各種制御を実行する際のデータを記憶しておくＲＡＭ３，ＣＰＵ１に基本動作を行わせるＯＳ４、メモリ５、入力手段６、ディスプレイ７等のコンピュータとしての各要素を備えている。
【００２５】
ユーザ端末Ｕ１，Ｕ２，Ｕ３には、図１に示すように、メディアアプリがインストールされている。ユーザ端末Ｕ１，Ｕ２，Ｕ３にインストールされるアプリは、基本的に、ユーザの購入行為に基づきアプリストアＡＳからダウンロードされることになるが、そのアプリにおいてリワード広告が行われるか否かは（メディアアプリになるか否かは）、そのアプリの開発販売者と、リワード広告として掲載してもらいたいアプリの広告主と、広告管理会社との契約の成立が条件となる。勿論この場合、メディアアプリは、各ユーザ端末Ｕ１，Ｕ２，Ｕ３において、同一アプリからなるものもあれば、異なるアプリからなるものもあり、その数も、各ユーザ端末Ｕ１，Ｕ２，Ｕ３において異なる。以下、理解を容易にするために、代表の一つのユーザ端末（代表符号Ｕ）に着目し、そのユーザ端末Ｕのメモリに一つのメディアアプリ８がインストールされているものとして説明する。
【００２６】
ユーザ端末Ｕにインストールされているメディアアプリ８は、通常のアプリ同様、そのアプリを起動することにより、コンテンツ（例えばゲーム等）を動作させてそのコンテンツを楽しむことができる他に（図３上段参照）、ユーザの切り換え操作により、リワード広告を行うべく、他のアプリを紹介するリワード広告一覧表示９を表示できることになっている（図３下段参照）。このため、このメディアアプリ８には、その開発販売者と広告管理会社との間の契約に基づき、そのメディアアプリの１つのプログラムとして、ユーザ側管理ソフト（通称、ＳＤＫ（Software Developement Kit）：以下、ＳＤＫを用いる）が予め組み込まれており（図４参照）、そのＳＤＫは、上記内容を実現すべく、ユーザ端末Ｕ（ＣＰＵ１）に、上述のコンテンツ表示とリワード広告一覧表示９との切り換え機能（切り換え表示）、メディアアプリ８内でのリワード広告一覧表示９における各掲載アプリ表示の表示場所を決める機能、その各表示場所へ掲載アプリ表示として表示させるための掲載アプリ表示情報を管理サーバＭＳに要求する機能（広告配信要求手段としての機能）等を実行させる。
【００２７】
この場合、上記リワード広告一覧表示９における各掲載アプリ表示ａ，ｂ，ｃ（図３中、下段参照）には、管理サーバＭＳを経てアプリストアＡＳにアクセス（リダイレクト）するためのＵＲＬ（リンク先を含むコード）がそれぞれ埋め込まれている。その各ＵＲＬには、Query String（ＵＲＬ中の？マーク以降の欄）においてユーザ端末ＩＤ、メディアアプリＩＤ、その掲載アプリ表示の掲載アプリ情報等が、ＳＤＫに基づいてユーザ端末Ｕにより付与されることになっている（情報設定手段としての機能）。これにより、リダイレクトの際、そのユーザ端末ＩＤ、メディアアプリＩＤ、ユーザが選択した掲載アプリ情報等が管理サーバＭＳに取得されることになっている。勿論この他の手段を用いて、ユーザ端末ＩＤ、メディアアプリＩＤ、選択した掲載アプリ情報等が管理サーバＭＳに取得されるようにしてもよい。
【００２８】
さらに、ＳＤＫは、リワード広告一覧表示９に掲載される掲載アプリをメディアアプリ８を経由してアプリストアＡＳで購入した場合に、その掲載アプリの購入に貢献したメディアアプリ８を特定（トラッキング処理）するべく、リワード広告一覧表示情報と共にその各掲載アプリのＵＲＬスキームを管理サーバＭＳに要求する機能（ＵＲＬスキーム要求手段としての機能）、その各掲載アプリのＵＲＬスキームを利用して、ユーザ端末Ｕに新たに掲載アプリがインストールされたか否かを検索（判別）する機能（新規インストールアプリケーション検出手段、インストールアプリケーション検索手段、アプリケーションリスト作成手段、新規インストールアプリケーション検索手段としての機能：図４参照）、ユーザ端末Ｕに新たに掲載アプリがインストールされている場合に、その新たにインストールされた掲載アプリ情報およびユーザ端末ＩＤを管理サーバ８に送信する機能（関連情報送信手段としての機能：図１参照）をユーザ端末Ｕ（ＣＰＵ１）に実行させるように設定されている。
上記ユーザ端末Ｕに新たに掲載アプリがインストールされたか否かを検索させることに関しては、ＳＤＫは、図４に示すように、ユーザ端末Ｕに各掲載アプリのＵＲＬスキームをリクエストさせることにより、ユーザ端末Ｕにインストールされている掲載アプリを検索させ、その後、ユーザ端末Ｕに、その時点でのインストールされている掲載アプリ（インストールアプリ）と、その前に検索されたインストールアプリのアプリリストとの比較から、新しくインストールされたアプリが存在するか否かを判断させる。ここで、上記ＵＲＬスキームを利用した検索においては、SDKからユーザ端末内のOSに対して任意のURLを指定することによりそのURLにより表されるアプリケーションがユーザ端末Ｕにインストールされているか否かを判別できるというＵＲＬスキームの特徴が利用される。
【００２９】
本実施形態においては、掲載アプリが新たにユーザ端末Ｕにインストールされたか否かを検索するために、上述のようにＵＲＬスキームを利用する場合（例えばＯＳがｉＯＳの場合）について説明したが、ＯＳ標準の機能として、インストール済みのアプリの一覧が取得可能の場合（例えばＯＳがAndroid）には、そのアプリ一覧を利用し、その時点のアプリ一覧と、その前に取得したアプリ一覧との比較により、新しくアプリがインストールされたか否かをユーザ端末Ｕに判断させてもよい。このような処理をユーザ端末Ｕに行わせるＳＤＫは、広告管理会社により開発される。このリワード広告一覧表示９に掲載される掲載アプリの購入に貢献したメディアアプリ８を特定するためのトラッキング処理については、後に詳述する。
【００３０】
前記管理サーバＭＳは、図１に示すように、広告配信サーバＭＳ１と、広告管理サーバＭＳ２と、を備えている。これらは、勿論、コンピュータとしての各要素を備えている。広告配信サーバＭＳ１は、ユーザ端末Ｕ（ＳＤＫ）からの広告配信要求に対して、リワード広告一覧表示９情報、そのリワード広告一覧表示９に掲載される各掲載アプリ（表示ａ，ｂ，ｃ）のＵＲＬスキーム等を配信する機能を有している。広告管理サーバＭＳ２は、ユーザ端末Ｕがリワード広告一覧表示９における掲載アプリ表示ａ，ｂ，ｃを経由してアプリストアＡＳにアクセスする際、ユーザ端末ＩＤ、メディアアプリＩＤ、掲載アプリ情報を取得保存する機能（取得保存手段としての機能）、ユーザがアプリストアＡＳで掲載アプリの購入に至った場合（ユーザ端末Ｕへのインストール後）には、その際、送信されるユーザ端末ＩＤ、新たにインストールされたアプリ情報を取得する機能（受領手段としての機能）、それら情報を比較照合することに基づき、掲載アプリの購入に貢献したメディアアプリ８を特定する機能（メディアアプリケーション特定手段としての機能）等を有している。これにより、成功報酬の支払い対象となるメディアアプリ８、リワード広告に基づくリワードを付与するユーザが特定されることになる。
【００３１】
前記アプリストアＡＳは、既知の如く、ユーザ端末Ｕにおいて使用できる種々のアプリを多数保有している。アプリストアＡＳは、その中のアプリに対してユーザ端末Ｕから購入意思操作が行われたとき（カード決済）、その購入されたアプリをユーザ端末Ｕに送る機能（ダウンロード機能）を有している。このアプリストアＡＳが保有するアプリのうち、ユーザ端末Ｕに表示されるリワード広告一覧に掲載される掲載アプリに関しては、掲載アプリの広告主と広告管理会社との契約に基づき、ＵＲＬスキームがそれぞれ設定されている。なお、広告主が任意に既にＵＲＬスキームを掲載アプリに設定していた場合は、それを利用することができる。
【００３２】
このようなネットワーク広告管理システムにおいては、ユーザ端末Ｕにメディアアプリ８がインストールされている場合には、その起動中において、リワード広告一覧表示を閲覧することができ、そのリワード広告一覧表示における掲載アプリ表示をタッチ（選択）したときには、その掲載アプリ表示に埋め込まれているリンク先情報に基づき、ユーザ端末Ｕは、管理サーバＭＳ（広告管理サーバＭＳ２）を介してアプリストアＡＳにアクセスする（リダイレクト）。この管理サーバＭＳを経由する際に、ユーザ端末ＩＤ、メディアアプリＩＤ、選択した掲載アプリ情報等が広告管理サーバＭＳ２に取得され、それらは第１情報として保存される。
この後、アプリストアＡＳで、選択した掲載アプリを購入し、それを自己のユーザ端末Ｕにダウンロード／インストールすると、ＳＤＫの働きに基づき、ユーザ端末Ｕは、ＵＲＬスキームを利用してインストールされているアプリを検索し、そのインストールアプリ情報と、これまで順次、更新してきたインストールアプリのアプリリスト情報との比較により、新たにインストールされたアプリが存在するか、また、存在するとすれば、どのようなアプリかを検出する。そして、ユーザ端末Ｕは、新たにインストールされたアプリが存在すると判断した場合には、その新たにインストールされたアプリ情報およびユーザ端末ＩＤを広告管理サーバＭＳ２に第２情報として送信する。
【００３３】
広告管理サーバＭＳ２は、ユーザ端末Ｕから、第２情報（新たにインストールされたアプリ情報およびユーザ端末ＩＤ）を受けとると、その第２情報と、前述の管理サーバＭＳを経由する際に取得、保存される第１情報（ユーザ端末ＩＤ、メディアアプリＩＤ、選択した掲載アプリ情報等）とが照合され、リワード広告一覧に掲載される掲載アプリの購入に貢献したメディアアプリが特定される。これにより、メディアアプリの開発販売者に、アプリ販売に対する貢献として成功報酬が支払われると共に、メディアアプリユーザのアプリ購入行為に対してリワードを付与できるようにすべく、掲載アプリの購入対象者情報（ユーザ情報）が提供される。
【００３４】
したがって、このようなネットワーク広告管理システムにおいては、メディアアプリ８にだけＳＤＫを組み込むだけで、上述のように、掲載アプリの販売に貢献したメディアアプリを特定できることになり、メディアアプリ８に掲載する各掲載アプリ（アプリストアＡＳに存在するもの）にトラッキングソフト（購入アプリの最初の起動時に、ユーザ端末Ｕからユーザ端末ＩＤを管理サーバＭＳ送信させるようなもの）を組み込む必要がなくなる。このため、メディアアプリを利用したリワード広告への掲載アプリの掲載負担を著しく軽減でき、アプリのメディアアプリ８への掲載（広告）が促進されることになる。
この場合、メディアアプリ８にＳＤＫが組み込まれることになるが、そのＳＤＫは、広告管理会社が開発するものであり、この点に関して、アプリをメディアアプリにしようとする開発販売者には負担とならない。また、メディアアプリの開発販売者は、広告配信だけを行わせる従前のＳＤＫの組み込み作業と同じ作業を行えばよく、組み込み作業負担が増大することはない。
【００３５】
３．ネットワーク広告管理システムの具体的制御例
次に、上記実施形態に係るシステムの動作を、図５〜図９に示すフローチャートに基づいて具体的に説明する。尚、図５、図６におけるＳ、図７におけるＱ、図８におけるＲ、図９におけるＴは、それぞれステップを示す。また、ユーザ端末Ｕには、メディアアプリ８がインストールされ、そのメディアアプリ８は、通常のコンテンツを表示するアプリ（例えばゲームソフト等）であって、そのメディアアプリ８内に、多数のアプリの広告を目的としたリワード広告一覧情報等の広告配信等を行うためのＳＤＫが組み込まれているものとする。
【００３６】
先ず、ユーザがユーザ端末Ｕのメディアアプリ８を起動又はアクティブ化すると、そのメディアアプリ８に組み込まれているＳＤＫが読み込まれる（Ｓ１，Ｓ２）。この後、ユーザが、ディスプレイ７上におけるメディアアプリ８のコンテンツ表示（例えばゲーム表示）において、リワード広告一覧の選択表示（図示略）を選択したときには、図３に示すように、コンテンツ表示からリワード広告一覧表示９に切り替わる。次のＳ４においては、初回のフラグＦ＝０を設定する必要があるか否かを判別すべく、そのリワード広告一覧表示９が初回か否かが判別される。最初は、リワード広告一覧表示９は初回であるから、Ｓ４がＹＥＳと判断され、Ｓ５において、フラグＦがＦ＝０と設定される。このフラグＦは、アプリのダウロード／インストール終了後、トラッキング処理（リワード広告一覧表示９に掲載の掲載アプリ購入に貢献した経由メディアアプリ８の照合処理）が終了しているか否かを判定するもので、Ｆ＝１のときは、掲載アプリのダウロード／インストール終了後、トラッキング処理が終了していない状態を示し、Ｆ＝０のときは、掲載アプリのダウロード／インストールがなされていない状態、或いは掲載アプリのダウロード／インストール終了後、トラッキング処理が終了している状態を示す。一番最初においては、トラッキング処理をする必要がないことから、Ｓ５に示すように、Ｆ＝０とされて、掲載アプリのダウロード／インストールがなされていない状態と設定される。
【００３７】
次のＳ６においては、ユーザ端末Ｕは、リワード広告一覧表示情報、そのリワード広告一覧表示９に示される各掲載アプリのＵＲＬスキーム情報を要求する。このユーザ端末Ｕから管理サーバＭＳ（広告管理サーバＭＳ２）への要求がなされると、管理サーバＭＳは、その要求に応じて、リワード広告一覧表示情報等をユーザ端末Ｕに配信することになり、ユーザ端末Ｕは、Ｓ７において、そのリワード広告一覧表示情報等を取得する。
この場合、管理サーバＭＳ（広告配信サーバＭＳ１）は、図７に示すように、Ｑ１において、常時、リワード広告一覧表示情報等の要求を受領したか否か判別しており、そのＱ１の判別がＹＥＳのときには、リワード広告一覧表示情報等をユーザ端末Ｕに配信するように設定されている（図１破線参照）。
【００３８】
Ｓ７において、リワード広告一覧表示情報等をユーザ端末Ｕが取得すると、Ｓ８において、フラグＦがＦ＝１か否かが判別される。一番最初は、前述のＳ５においてＦ＝０と設定されることから、Ｓ８の判別がＮＯと判定され、次のＳ９において、ユーザ端末Ｕにおけるメモリに記憶されるアプリのアプリリストを新規に作成する必要があるか否かを判別すべく、リワード広告の一覧表示が初回か否かが判別される。一番最初は、リワード広告の一覧表示が初回であるから、Ｓ９がＹＥＳと判定されて、Ｓ１０において、ユーザ端末Ｕにおけるメモリにインストールされているアプリとして、どのようなものがあるかをチェックする。
本実施形態においては、このチェックのためにＵＲＬスキームが利用される。具体的には、ユーザ端末ＵにおけるＳＤＫが、ユーザ端末Ｕに前記Ｓ７において取得した各掲載アプリのＵＲＬスキームをリクエストさせ、各掲載アプリのインストールの有無が判別される。ユーザ端末Ｕにおけるメモリにインストールされているアプリをチェックする方法としては、この他に、ＯＳの標準機能として、インストール済みのアプリの一覧が取得可能な場合（例えばAndroid）には、それを利用してもよい。
【００３９】
Ｓ１０において、ユーザ端末Ｕのメモリにインストールされているアプリとしてどのようなものがあるかが判定されると、Ｓ１１において、アプリリストが新規に作成され、Ｓ１２において、その内容がメモリ記憶され、次のＳ１３に進む。
【００４０】
Ｓ１３においては、前記Ｓ７において取得したリワード広告一覧表示９情報中に、前記Ｓ１１で作成したアプリリストに示すアプリがあるか否かが判別される。このＳ１３がＹＥＳのときには、図３下段に示すように、Ｓ１４において、ユーザ端末Ｕの表示画面にリワード広告一覧が表示されると共に、既にユーザ端末Ｕにインストールされているアプリの掲載アプリ表示（図３では掲載アプリ表示ｃ）については、注意書き「インストール済」が表示され、次のＳ１５に進む。この場合、既にユーザ端末Ｕにインストールされているアプリの掲載アプリ表示に関しては、別の態様として、Ｓ１４において、その掲載アプリ表示ｃ自体を表示しないようにしてもよい。
一方、Ｓ１３がＮＯのときには、リワード広告一覧表示情報の掲載アプリの中には、ユーザ端末Ｕに既にインストールされているものがないことから、Ｓ１６において、注意書き「インストール済み」の表示を表示することなくリワード広告一覧表示９が表示され、その後、次のＳ１５に進む。
【００４１】
Ｓ１５においては、リワード広告一覧表示９から掲載アプリ表示が選択されたか否かが判別される。Ｓ１５がＮＯのときには、リターンされる一方、Ｓ１５がＹＥＳのときには、Ｓ１７において、メディアアプリ８が終了又はバックグラウンド化し、次のＳ１８において、アプリストアＡＳにアクセスされてその購入画面表示が表示される。
この場合、管理サーバＭＳ（広告管理サーバＭＳ２）においては、図８に示すように、Ｒ１において、ユーザ端末ＵからアプリストアＡＳにアクセスする際に、リダイレクトされること（途中、管理サーバＭＳにアクセスすること）を常時、判別しており、Ｒ１がＹＥＳのときには、管理サーバＭＳは、Ｒ２において、当該ユーザ端末Ｕのユーザ端末ＩＤ，メディアアプリＩＤ，選択した掲載アプリ情報を取得し、この後、Ｒ３において、それを、管理サーバＭＳ内の記憶手段に（図示略）に第１情報として保存する。
【００４２】
Ｓ１８において、アプリストアＡＳの購入画面表示が表示されると、この後、Ｓ１９において、Ｓ１５で選択したアプリの購入手続を経て、その掲載アプリのダウンロード、ユーザ端末Ｕへのインストール処理が行われる。このＳ１９の処理が終えると、Ｓ２０において、メディアアプリ８が起動又はアクチィブ化され、Ｓ２１において、フラグＦがＦ＝１、すなわち、アプリのダウロード／インストール終了後であって、トラッキング処理が終了していない状態であると設定され、リターンされる。
【００４３】
上記によりリターンされ、再び、Ｓ１〜Ｓ３を経てＳ４に至ると、そのＳ４において、リワード広告一覧表示９は、初回か否かが判別され、今回は、初回でないことから、Ｆ＝１を維持しつつ、Ｓ５を迂回して、直接、Ｓ６に進む。そしてこの後、Ｓ７を経てＳ８に至り、そのＳ８において、Ｆ＝１か否かが判別される。このときには、Ｆ＝１が維持された状態にあることから、Ｓ８がＹＥＳと判定され、Ｓ２２において、ユーザ端末Ｕにおけるメモリにインストールされているアプリとしてどのようなものがあるかがチェックされる。次のＳ２３において、Ｓ２２においてチェックしたインストールアプリとＳ１２におけるアプリリスト中のアプリとが比較され、新しくインストールされた掲載アプリが存在するか否かが判別される。
【００４４】
Ｓ２３がＹＥＳのときには、ＳＤＫが、ユーザ端末Ｕに、そのユーザ端末ＩＤ、新しくインストールされた掲載アプリ情報を管理サーバＭＳ（広告管理サーバＭＳ２）に送信させる。
このとき、管理サーバＭＳにおいては、図９に示すように、Ｔ１で、前記Ｓ２４におけるユーザ端末ＩＤ及び掲載アプリ情報を受信したか否かを、常時、判別しており、Ｔ１がＹＥＳのときには、Ｔ２において、その受信したＳ２４における第２情報（ユーザ端末ＩＤ及び掲載アプリ情報）と、前記Ｒ３（図８参照）において保存した第１情報（リダイレクトに伴い取得したＲ２におけるユーザ端末ＩＤ、メディアアプリＩＤ及び選択した掲載アプリ情報）とを照合する。そして、次のＴ３において、ユーザ端末ＩＤ及び掲載アプリ情報に関して一致するものがあるかが判別され、Ｔ３がＹＥＳのときは、ユーザ端末ＩＤ及び掲載アプリ情報が一致する場合であることから、その一致情報に付随するメディアアプリＩＤから、そのメディアアプリ８が掲載アプリの販売に貢献したメディアアプリ８として特定され、その情報が、成功報酬の支払い及びリワード広告に基づくリワードの付与（コンテンツのアイテムや、ポイントの付与）のために保存される。一方、Ｔ１において、ユーザ端末ＩＤ等を受信しない場合、Ｔ３において、ユーザ端末ＩＤ及び掲載アプリ情報に関して一致するものがないと判定された場合には、リターンされる。
【００４５】
Ｓ２４において、ユーザ端末ＵのＳＤＫが、そのユーザ端末Ｕに、そのユーザ端末ＩＤ、新たにユーザ端末Ｕにインストールされた掲載アプリ情報を管理サーバＭＳ（広告管理サーバＭＳ）に送信させると、Ｓ２２において検索したアプリがインストールされている最新の掲載アプリであるとして、アプリリストが更新され、それは記憶手段に記憶され、次のＳ２６に進む。
一方、Ｓ２３がＮＯのときには、管理サーバＭＳにユーザ端末ＩＤ等を送信することなく、Ｓ２６に直接、進む。
【００４６】
Ｓ２２〜Ｓ２５の処理を経ることにより、アプリのダウロード／インストール終了後におけるトラッキング処理が終了したことになり、Ｓ２６においては、Ｆ＝０と設定され、前記Ｓ１３に進む。
【００４７】
前記Ｓ９の判別がＮＯのときには、アプリのダウンロードをしていないとき（例えばＳ１５がＮＯのとき）又はアプリのダウロード／インストール終了後であってトラッキング処理が終了し、しかも、リワード広告一覧表示９が２回目以降のときであり、そのときには、Ｓ２７において、ユーザ端末Ｕのメモリにインストールされているアプリがチェックされ、そのチェックにより検出されたアプリが、前記Ｓ１３において、リワード広告一覧表示情報中に存在するか否かが判別される。
【００４８】
尚、本発明の目的は、明記されたものに限らず、実質的に好ましい或いは利点として記載されたものに対応したものを提供することをも含むものである。
【符号の説明】
【００４９】
Ｕ  ユーザ端末
ＭＳ  管理サーバ
ＭＳ２  広告管理サーバ
ＡＳ  アプリストア
１  ＣＰＵ
８  メディアアプリ
９  リワード広告一覧表示
【手続補正２】
【補正対象書類名】特許請求の範囲
【補正対象項目名】全文
【補正方法】変更
【補正の内容】
【特許請求の範囲】
【請求項１】
多数のアプリケーションを保有して該アプリケーションのダウロードサービスを行うダウンロードサービスサイトと、該ダウンロードサービスサイトからアプリケーションをダウンロードするダウンロード手段を有すると共に、コンテンツ及びアプリケーションの広告表示を表示させるメディアアプリケーションがインストールされているユーザ情報端末と、前記ユーザ情報端末のメディアアプリケーションに対して前記ダウンロードサービスサイトに保有されるアプリケーションの広告表示を配信すると共に、前記ダウンロードサービスサイトに対して別個独立した存在であってアプリケーションの購入に貢献したメディアアプリケーションを特定するための情報が該ダウンロードサービスサイトから提供されることのない管理サーバとが、ネットワークを介して連なるネットワーク広告管理システムであって、
前記ユーザ情報端末は、
前記メディアアプリケーションに対応付けられた広告表示が選択されたとき、該選択された広告表示の情報と該選択された広告表示と対応関係にあるメディアアプリケーションの情報と該ユーザ情報端末の情報とを第１情報として、前記管理サーバを経由して前記ダウンロードサービスサイトへ送信する第１情報送信手段と、
新規にインストールされたアプリケーションを検出する新規インストールアプリケーション検出手段と、
前記新規インストールアプリケーション検出手段が新規なインストールアプリケーションの存在を判定したときに、前記管理サーバにその新規なインストールアプリケーションの情報と前記ユーザ情報端末の情報とを第２情報として送信する第２情報送信手段と、
を有し、
前記管理サーバは、
前記第１情報および前記第２情報を受信する受信手段と、
前受信手段によって受信した前記第１情報を記憶しておく記憶手段と、
前記受信手段によって前記第２情報を受信したときに、該第２情報と前記記憶手段に記憶されている前記第１情報とを比較照合して、アプリケーションの購入に貢献したメディアアプリケーションを特定するメディアアプリケーション特定手段と、
を有し、
前記新規インストールアプリケーション検出手段の機能実行と前記第２情報送信手段の機能実行とが、前記ユーザ情報端末にインストールされている前記メディアアプリケーションに組み込まれたユーザ側管理ソフトに基づいて行われ、
前記第１情報の前記管理サーバを経由した前記ダウンロードサービスサイトへの送信が、前記広告表示に設定されたリンク先情報に基づいて行われる、
ことを特徴とするネットワーク広告管理システム。
【請求項２】
請求項１において、
前記ユーザ情報端末が、
前記アプリケーションの広告表示の配信を要求する広告配信要求手段と、
前記広告配信要求手段の要求に基づき配信を受けたアプリケーションの広告表示に、前記リンク先情報の他に、該ユーザ情報端末の情報、メディアアプリケーションの情報を設定する情報設定手段と
をさらに備え、
前記広告配信要求手段の機能実行と前記情報設定手段の機能実行とが、前記ユーザ情報端末にインストールされている前記メディアアプリケーションに組み込まれた前記ユーザ側管理ソフトに基づいて行われる、
ことを特徴とするネットワーク広告管理システム。
【請求項３】
多数のアプリケーションを保有して該アプリケーションのダウロードサービスを行うダウンロードサービスサイトと、該ダウンロードサービスサイトからアプリケーションをダウンロードするダウンロード手段を有すると共に、コンテンツ及び広告表示を表示させることが可能なメディアアプリケーションがインストールされているユーザ情報端末と、前記ユーザ情報端末のメディアアプリケーションに対して前記ダウンロードサービスサイトに保有されるアプリケーションの広告表示を配信すると共に、前記ダウンロードサービスサイトに対して別個独立した存在であってアプリケーションの購入に貢献したメディアアプリケーションを特定するための情報が該ダウンロードサービスサイトから提供されることのない管理サーバとが、ネットワークを介して連なるネットワーク広告管理システムの下で、前記メディアアプリケーションに組み込まれるユーザ側管理ソフトとされるネットワーク広告管理システム用プログラムであって、
前記メディアアプリケーションがインストールされている前記ユーザ情報端末のコンピュータに、
新規にインストールされたアプリケーションを検出させる新規インストールアプリケーション検出処理と、
新規インストールアプリケーションの検出処理の処理結果に基づき、新規インストールアプリケーションが存在すると判断したときには、該新規インストールアプリケーションの情報と前記ユーザ情報端末の情報とを、前記管理サーバに送り出す関連情報送信処理と、
を実行させる、
ことを特徴とするネットワーク広告管理システム用プログラム。
【請求項４】
請求項３において、
前記新規インストールアプリケーションの検出処理が、
前記ユーザ情報端末にインストールされているインストールアプリケーションを検索するインストールアプリケーション検索処理と、
前記インストールアプリケーション検索処理の検索結果を順次、更新して、前記ユーザ情報端末にインストールされているアプリケーションのアプリケーションリストを作成するアプリケーションリスト作成処理と、
前記インストールアプリケーション検索処理の検索結果と、該インストールアプリケーション検索処理の検索直前における前記アプリケーションリストとを比較して、該アプリケーションリストに存在しなかったアプリケーションを新規インストールアプリケーションとして検出する新規インストールアプリケーション検索処理と、
を行い、
前記関連情報送信処理が、前記新規インストールアプリケーション検索処理の結果に基づき、新規インストールアプリケーションが存在すると判断したときに、該新規インストールアプリケーションの情報と前記ユーザ情報端末の情報とを、前記管理サーバに送り出す処理を行う、
ことを特徴とするネットワーク広告管理システム用プログラム。
【請求項５】
請求項４において、
前記ユーザ情報端末のコンピュータに、
前記メディアアプリケーションにおいて広告表示されるアプリケーションのＵＲＬスキームを前記管理サーバに要求するＵＲＬスキーム要求処理を実行させ、
前記インストールアプリケーション検索処理が、前記ＵＲＬスキーム要求処理による要求に基づき入手したＵＲＬスキームを利用して、前記ユーザ情報端末にインストールされているインストールアプリケーションの検索処理を行なう、
ことを特徴とするネットワーク広告管理システム用プログラム。
【請求項６】
請求項４において、
前記インストールアプリケーション検索処理が、前記ユーザ情報端末に対して、該ユーザ情報端末にインストールされているインストールアプリケーションのリストを要求することにより行われる、
ことを特徴とするネットワーク広告管理システム用プログラム。
【請求項７】
請求項３〜６のいずれか１項において、
前記ユーザ情報端末のコンピュータに、
前記アプリケーションの広告表示を前記管理サーバに要求する広告配信要求処理と、
前記メディアアプリケーションが前記ユーザ情報端末に表示させるアプリケーションの広告表示に、前記管理サーバを経て前記ダウンロードサービスサイトにアクセスするためのリンク先情報、前記広告表示に対応するアプリケーションの情報、前記ユーザ情報端末にインストールされていて該広告表示に対応したメディアアプリケーションの情報及び該ユーザ情報端末の情報を設定する情報設定処理と、
を実行させる、
ことを特徴とするネットワーク広告管理システム用プログラム。